(57)【要約】【課題】受注者による受注可能情報の更新を容易にし、発注者が多数の受注者のリアルタイムの正確かつ簡潔な受注可能情報を得られるようにする【解決手段】サーバ装置４は、受注者１が更新する、空き日程の初日を特定する情報の記録域２４と、発注者（受注可能情報閲覧者２）の利用者端末からの要求に対し返信する際に当該空き日程初日特定情報から空き日程の初日を算出する空き日程初日算出手段６と、その際さらにその当日の年月日から当該空き日程の初日までの日数または営業日数を算出し、発注者用画面において当該空き日程の初日と当該日数または営業日数とを相互に隣接するように当該登録受注者の受注者表記とともに表示させる空き日程初日迄日数算出表示手段７と、その当日から前記空き日程の初日までの日数の半分以下である日数又は時間数を記録する小型案件受注可能情報記録域２６とを有する仕事受注可能情報連絡システム。【選択図】図１
2017208055.tif 000002
【特許請求の範囲】
【請求項１】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記憶域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記憶域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域をそれぞれの記憶域において有する一又は複数の受注可能案件記憶域、および、前記のすべての受注可能案件を発注者用画面に表示可能とする連絡先である登録発注者を記録した連絡先記録域を含むサービスグループ記憶域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
前記の空き日程の初日を算出する際に、さらに、その当日の年月日から当該空き日程の初日までの日数または営業日数を算出し、前記発注者用画面において当該空き日程の初日と当該日数または営業日数とを相互に隣接するように当該登録受注者の受注者表記とともに表示させる空き日程初日迄日数算出表示手段、ならびに、
その当日から前記空き日程の初日までの日数の半分以下である日数又は時間数を記録する小型案件受注可能情報記録域を有することを特徴とする仕事受注可能情報連絡システム。
【請求項２】
前記受注可能案件記憶域のそれぞれは、さらに、
当該受注可能案件の単位日数あたり受注可能な仕事分量を記録する受注可能分量記録域を有することを特徴とする請求項１に記載の仕事受注可能情報連絡システム。
【請求項３】
前記サーバ装置は、さらに、
前記利用者端末又は前記サーバ装置において、利用者端末から入力された仕事分量を前記の単位日数あたり受注可能な仕事分量で割った商から当該仕事を完了させるのに必要な日数または営業日数を算出し、さらに前記空き日程の初日から、最短で納品可能と見込まれる日付またはその一日後の日付である設定可能納期を前記発注者用画面に出力表示させる設定可能納期算出手段を有することを特徴とする請求項２に記載の仕事受注可能情報連絡システム。
【請求項４】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記憶域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記憶域として確保される登録発注者情報記録域、
前記受注可能情報閲覧者が受注者用画面において特定の登録受注者であることを示す発注者表示情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域と当該受注可能案件の単位日数あたり受注可能な仕事分量を記録する受注可能分量記録域とをそれぞれの記憶域において有する一又は複数の受注可能案件記憶域、および、前記のすべての受注可能案件を発注者用画面に表示可能とする連絡先である登録発注者を記録した連絡先記録域を含むサービスグループ記憶域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
前記利用者端末又は前記サーバ装置において、利用者端末から入力された仕事分量を前記の単位日数あたり受注可能な仕事分量で割った商から当該仕事を完了するのに必要な日数または営業日数を算出し、さらに前記空き日程の初日から、最短で納品可能と見込まれる日付またはその一日後の日付である設定可能納期を前記発注者用画面に出力表示させる設定可能納期算出手段、ならびに、
その当日から前記空き日程の初日までの日数の半分以下である日数又は時間数を記録する小型案件受注可能情報記録域を有することを特徴とする仕事受注可能情報連絡システム。
【請求項５】
前記設定可能納期算出手段は、さらに
算出した当該仕事を完了するのに必要な日数または営業日数が、小型案件受注可能情報記録域に記録された日数以下である場合において、最短で納品可能と見込まれる日付またはその一日後の日付である設定可能納期を前記発注者用画面に出力表示させることを特徴とする請求項１ないし４のいずれか一項に記載の仕事受注可能情報連絡システム。
【請求項６】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記憶域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記憶域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、一又は複数の各受注可能案件の属性を記録する案件属性記録域と当該受注可能案件の単位日数あたり受注可能な仕事分量を記録する受注可能分量記録域とをそれぞれの記録域において有する一又は複数の受注可能案件記憶域、および、前記のすべての受注可能案件を発注者用画面に表示可能とする連絡先である登録発注者を記録した連絡先記録域を含むサービスグループ記憶域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
前記利用者端末又は前記サーバ装置において、利用者端末から入力された仕事分量を前記の単位日数あたり受注可能な仕事分量で割った商から当該仕事を完了するのに必要な日数または営業日数を算出し、さらに前記空き日程の初日から、最短で納品可能と見込まれる日付またはその一日後の日付である設定可能納期を前記発注者用画面に出力表示させる設定可能納期算出手段、ならびに、
前記の空き日程の初日を算出する際に、さらに、その当日の年月日から当該空き日程の初日までの日数または営業日数を算出し、前記発注者用画面において当該空き日程の初日と当該日数または営業日数とを相互に隣接するように当該登録受注者の受注者表記とともに表示させる空き日程初日迄日数算出表示手段を有することを特徴とする仕事受注可能情報連絡システム。
【請求項７】
前記設定可能納期算出手段は、さらに
前記の当該仕事を完了するのに必要な日数または営業日数を前記発注者用画面に出力表示させることを特徴とする請求項３ないし６のいずれか一項に記載の仕事受注可能情報連絡システム。
【請求項８】
前記の各受注可能案件記録域は、さらに、
登録受注者が前記案件属性を有する仕事案件の受注を希望する仕事単価又は最低仕事単価である受注希望仕事単価を記録する仕事単価記録域を有することを特徴とする請求項１ないし７のいずれか一項に記載の仕事受注可能情報連絡システム。
【請求項９】
前記の登録発注者情報記録域は、さらに、
所定の登録受注者に対して所定の案件属性を有する仕事案件を発注可能である仕事単価又は仕事単価の範囲である発注可能単価情報を記録する発注可能仕事単価記録域を有することを特徴とする請求項１ないし８のいずれか一項に記載の仕事受注可能情報連絡システム。
【請求項１０】
前記サーバ装置は、さらに
利用者端末から入力された仕事分量に基き、当該仕事分量を有する前記案件属性を有する仕事案件を前記登録受注者が受注して完了した場合の費用を、
前記受注希望仕事単価の記録が存在する場合においては、前記発注可能仕事単価の記録が存在しないか、当該受注希望仕事単価が当該発注可能仕事単価と一致若しくはその範囲に含まれる場合は、当該受注希望仕事単価を有効な仕事単価とし、
前記受注希望仕事単価の記録が存在しない場合においては、前記発注可能仕事単価若しくはその範囲の上限を有効な仕事単価として、算出する費用算出手段を有することを特徴とする請求項８または９に記載の仕事受注可能情報連絡システム。
【請求項１１】
前記案件属性記録域は、複数存在しており、その一部が、
仕事を完了するのに必要な日数または営業日数を指定することにより受注可能な仕事案件の属性を記録する日額案件属性記録域であることを特徴とする請求項１ないし１０のいずれか一項に記載の仕事受注可能情報連絡システム。
【請求項１２】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記憶域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記憶域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する複数の案件属性記録域と当該受注可能案件の単位日数あたり受注可能な仕事分量を記録する受注可能分量記録域とをそれぞれの記憶域において有する一又は複数の受注可能案件記憶域、および、前記のすべての受注可能案件を発注者用画面に表示可能とする連絡先である登録発注者を記録した連絡先記録域を含むサービスグループ記憶域、ならびに
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段を有し、
前記案件属性記録域の一部が、仕事を完了するのに必要な日数または営業日数を指定することにより受注可能な仕事案件の属性を記録する日額案件属性記録域であることを特徴とする仕事受注可能情報連絡システム。
【請求項１３】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記憶域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記憶域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する複数の案件属性記録域をそれぞれの記憶域において有する一又は複数の受注可能案件記憶域、および、前記のすべての受注可能案件を発注者用画面に表示可能とする連絡先である登録発注者を記録した連絡先記録域を含むサービスグループ記憶域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
前記の空き日程の初日を算出する際に、さらに、その当日の年月日から当該空き日程の初日までの日数または営業日数を算出し、前記発注者用画面において当該空き日程の初日と当該日数または営業日数とを相互に隣接するように当該登録受注者の受注者表記とともに表示させる空き日程初日迄日数算出表示手段、ならびに、
その当日から前記空き日程の初日までの日数の半分以下である日数又は時間数を記録する小型案件受注可能情報記録域を有し、
前記案件属性記録域は、仕事を完了するのに必要な日数または営業日数を指定することにより受注可能な仕事案件の属性を記録する日額案件属性記録域であることを特徴とする仕事受注可能情報連絡システム。
【請求項１４】
前記サーバ装置は、さらに、
前記利用者端末又は前記サーバ装置において、利用者端末において入力された前記日額案件属性を有する仕事を完了するのに必要な日数または営業日数と前記空き日程の初日から、最短で納品可能と見込まれる日付またはその一日後の日付である設定可能納期を前記発注者用画面に出力表示させる日額案件用の設定可能納期算出手段を有することを特徴とする請求項１１ないし１３のいずれか一項に記載の仕事受注可能情報連絡システム。
【請求項１５】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記憶域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記憶域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する複数の案件属性記録域をそれぞれの記憶域において有する一又は複数の受注可能案件記憶域、および、前記のすべての受注可能案件を発注者用画面に表示可能とする連絡先である登録発注者を記録した連絡先記録域を含むサービスグループ記憶域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
その当日から前記空き日程の初日までの日数の半分以下である日数又は時間数を記録する小型案件受注可能情報記録域、ならびに、
前記利用者端末又は前記サーバ装置において、利用者端末において入力された前記日額案件属性を有する仕事を完了するのに必要な日数または営業日数と前記空き日程の初日から、最短で納品可能と見込まれる日付またはその一日後の日付である設定可能納期を前記発注者用画面に出力表示させる日額案件用の設定可能納期算出手段を有し、
前記案件属性記録域は、仕事を完了するのに必要な日数または営業日数を指定することにより受注可能な仕事案件の属性を記録する日額案件属性記録域であることを特徴とする仕事受注可能情報連絡システム。
【請求項１６】
前記設定可能納期算出手段は、さらに、
算出した当該仕事を完了するのに必要な日数または営業日数が、小型案件受注可能情報記録域に記録された日数以下である場合において、最短で納品可能と見込まれる日付またはその一日後の日付である設定可能納期を前記発注者用画面に出力表示させることを特徴とする請求項１３ないし１５のいずれか一項に記載の仕事受注可能情報連絡システム。
【請求項１７】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記憶域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記憶域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する複数の案件属性記録域をそれぞれの記憶域において有する一又は複数の受注可能案件記憶域、および、前記のすべての受注可能案件を発注者用画面に表示可能とする連絡先である登録発注者を記録した連絡先記録域を含むサービスグループ記憶域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
前記の空き日程の初日を算出する際に、さらに、その当日の年月日から当該空き日程の初日までの日数または営業日数を算出し、前記発注者用画面において当該空き日程の初日と当該日数または営業日数とを相互に隣接するように当該登録受注者の受注者表記とともに表示させる空き日程初日迄日数算出表示手段、ならびに、
前記利用者端末又は前記サーバ装置において、利用者端末において入力された前記日額案件属性を有する仕事を完了するのに必要な日数または営業日数と前記空き日程の初日から、最短で納品可能と見込まれる日付またはその一日後の日付である設定可能納期を前記発注者用画面に出力表示させる日額案件用の設定可能納期算出手段を有することを特徴とする仕事受注可能情報連絡システム。
【請求項１８】
前記の各受注可能案件記録域は、さらに、
登録受注者が前記日額案件属性を有する仕事案件の受注を希望する日額又は最低日額である受注希望日額を記録する日額記録域を
有することを特徴とする請求項１１ないし１７のいずれか一項に記載の仕事受注可能情報連絡システム。
【請求項１９】
前記の登録発注者情報記録域は、さらに、
所定の登録受注者に対して所定の日額案件属性を有する仕事案件を発注可能である日額又は日額の範囲である発注可能日額情報を記録する発注可能日額記録域を有することを特徴とする請求項１１ないし１８のいずれか一項に記載の仕事受注可能情報連絡システム。
【請求項２０】
前記サーバ装置は、さらに、
利用者端末において入力された前記日額案件属性を有する仕事を完了するのに必要な日数または営業日数に基き、当該仕事案件を前記登録受注者が受注して完了した場合の費用を、
前記受注希望日額の記録が存在する場合においては、前記発注可能日額の記録が存在しないか、当該受注希望日額が当該発注可能日額と一致若しくはその範囲に含まれる場合は、当該受注希望日額を有効な日額とし、前記受注希望日額の記録が存在しない場合においては、前記発注可能日額若しくはその範囲の上限を有効な日額として、算出する日額案件用の費用算出手段を有することを特徴とする請求項１８または１９に記載の仕事受注可能情報連絡システム。
【請求項２１】
前記サーバ装置は、さらに、
少なくとも登録受注者の空き日程の初日を、登録発注者アカウントでログインした利用者端末が出力する発注者用画面において制限を受けることなく表示可能である、当該登録受注者と当該登録発注者のペアを受発注ペアとして記録する受発注ペア記録域、
前記登録発注者情報記録域内に設けられた、登録受注者アカウントでログインした利用者端末から入力されることにより自己を特定可能な連絡キーを記録する連絡キー記録域、
受発注ペアとしての記録を希望する登録受注者を募集する広告者としても登録された登録発注者のリストである受注者募集広告者リストを記録する受注者募集広告者リスト記録域、ならびに、
前記受注者募集広告者リストに記録された登録発注者について設けられた、当該募集に応募中であって、当該登録発注者との間で受発注ペアとして記録されていない登録受注者のリストである応募者リストを記録する応募者リスト記録域を有し、
前記受発注ペアとしての記録は、前記登録発注者が応募者リスト中の登録受注者が選択されたか、または、登録受注者アカウントでログインした利用者端末から前記連絡キー記録域に記録された連絡キーと同一の連絡キーが入力されたことによって、当該登録受注者と当該登録発注者とをペアとして実行されることを特徴とする請求項１ないし２０のいずれか一項に記載の仕事受注可能情報連絡システム。
【請求項２２】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記憶域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記憶域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域をそれぞれの記憶域において有する一又は複数の受注可能案件記憶域を含むサービスグループ記憶域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
その当日から前記空き日程の初日までの日数の半分以下である日数又は時間数を記録する小型案件受注可能情報記録域、
少なくとも登録受注者の空き日程の初日を、登録発注者アカウントでログインした利用者端末が出力する発注者用画面において制限を受けることなく表示可能である、当該登録受注者と当該登録発注者のペアを受発注ペアとして記録する受発注ペア記録域、
前記登録発注者情報記録域内に設けられた、登録受注者アカウントでログインした利用者端末から入力されることにより自己を特定可能な連絡キーを記録する連絡キー記録域、
受発注ペアとしての記録を希望する登録受注者を募集する広告者としても登録された登録発注者のリストである受注者募集広告者リストを記録する受注者募集広告者リスト記録域、ならびに、
前記受注者募集広告者リストに記録された登録発注者について設けられた、当該募集に応募中であって、当該登録発注者との間で受発注ペアとして記録されていない登録受注者のリストである応募者リストを記録する応募者リスト記録域を有し、
前記受発注ペアとしての記録は、前記登録発注者が応募者リスト中の登録受注者が選択されたか、または、登録受注者アカウントでログインした利用者端末から前記連絡キー記録域に記録された連絡キーと同一の連絡キーが入力されたことによって、当該登録受注者と当該登録発注者とをペアとして実行されることを特徴とする仕事受注可能情報連絡システム。
【請求項２３】
前記設定可能納期算出手段は、さらに、
算出した当該仕事を完了するのに必要な日数または営業日数が、小型案件受注可能情報記録域に記録された日数以下である場合において、最短で納品可能と見込まれる日付またはその一日後の日付である設定可能納期を前記発注者用画面に出力表示させることを特徴とする請求項２２に記載の仕事受注可能情報連絡システム。
【請求項２４】
前記小型案件受注可能情報記録域を有する前記登録受注者情報記録域は、さらに、
前記受発注ペアの相手方からなる登録受注者群および／または一又は複数の前記サービスグループの連絡先からなる各登録受注者群を、前記小型案件受注可能情報の連絡先としての選択を記録する連絡先グループ選択情報記録域を有することを特徴とする請求項１ないし２３のいずれか一項に記載の仕事受注可能情報連絡システム。
【請求項２５】
前記登録受注者情報記録域は、さらに、登録受注者が登録発注者向けに連絡するメッセージを記録するメッセージ記録域を有することを特徴とする請求項１ないし２４のいずれか一項に記載の仕事受注可能情報連絡システム。
【請求項２６】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記憶域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記憶域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域をそれぞれの記憶域において有する一又は複数の受注可能案件記憶域を含むサービスグループ記憶域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
前記登録受注者情報記録域内に設けられた、登録受注者が登録発注者向けに連絡するメッセージを記録するメッセージ記録域、
少なくとも登録受注者の空き日程の初日を、登録発注者アカウントでログインした利用者端末が出力する発注者用画面において制限を受けることなく表示可能である、当該登録受注者と当該登録発注者のペアを受発注ペアとして記録する受発注ペア記録域、
前記登録発注者情報記録域内に設けられた、登録受注者アカウントでログインした利用者端末から入力されることにより自己を特定可能な連絡キーを記録する連絡キー記録域、
受発注ペアとしての記録を希望する登録受注者を募集する広告者としても登録された登録発注者のリストである受注者募集広告者リストを記録する受注者募集広告者リスト記録域、ならびに、
前記受注者募集広告者リストに記録された登録発注者について設けられた、当該募集に応募中であって、当該登録発注者との間で受発注ペアとして記録されていない登録受注者のリストである応募者リストを記録する応募者リスト記録域を有し、
前記受発注ペアとしての記録は、前記登録発注者が応募者リスト中の登録受注者が選択されたか、または、登録受注者アカウントでログインした利用者端末から前記連絡キー記録域に記録された連絡キーと同一の連絡キーが入力されたことによって、当該登録受注者と当該登録発注者とをペアとして実行されることを特徴とする仕事受注可能情報連絡システム。
【請求項２７】
前記登録受注者情報記録域は、さらに、前記メッセージ記録域のそれぞれについて、当該メッセージ記録域内に記録されたメッセージを連絡する連絡先として、前記受発注ペアの相手方からなる登録受注者群および／または一又は複数の前記サービスグループの連絡先からなる各登録受注者群を選択した情報を記録する連絡先グループ選択情報記録域を有することを特徴とする請求項２５または２６に記載の仕事受注可能情報連絡システム。
【請求項２８】
前記登録受注者情報記録域は、さらに、
複数の前記メッセージ記録域が属するグループの情報を記録するメッセージグループ情報記録域、および、
前記の同一グループに属するメッセージ記憶域のそれぞれについて、該メッセージ記録域内おいて記録されたメッセージを発注者用画面で表示する際の表示言語の相互に異なる選択情報を記録する表示言語選択情報記録域を有することを特徴とする請求項２７に記載の仕事受注可能情報連絡システム。
【請求項２９】
前記サーバ装置は、さらに、
登録発注者アカウントでログインした利用者端末から前記連絡キーの新規登録又は変更登録する際に、当該登録発注者との間で受発注ペアとして記録された受注者リストから解消するペアがないかの確認を促す受発注ペア維持解消確認手段を有することを特徴とする請求項１１ないし２８のいずれか一項に記載の仕事受注可能情報連絡システム。
【請求項３０】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記憶域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記憶域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域をそれぞれの記憶域において有する一又は複数の受注可能案件記憶域を含むサービスグループ記憶域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
少なくとも登録受注者の空き日程の初日を、登録発注者アカウントでログインした利用者端末が出力する発注者用画面において制限を受けることなく表示可能である、当該登録受注者と当該登録発注者のペアを受発注ペアとして記録する受発注ペア記録域、
前記登録発注者情報記録域内に設けられた、登録受注者アカウントでログインした利用者端末から入力されることにより自己を特定可能な連絡キーを記録する連絡キー記録域、
受発注ペアとしての記録を希望する登録受注者を募集する広告者としても登録された登録発注者のリストである受注者募集広告者リストを記録する受注者募集広告者リスト記録域、
前記受注者募集広告者リストに記録された登録発注者の登録発注者情報記録域内に設けられた、当該募集に応募中であって、当該登録発注者との間で受発注ペアとして記録されていない登録受注者のリストである応募者リストを記録する応募者リスト記録域、ならびに、
登録発注者アカウントでログインした利用者端末から前記連絡キーの新規登録又は変更登録する際に、当該登録発注者との間で受発注ペアとして記録された受注者リストから解消するペアがないかの確認を促す受発注ペア維持解消確認手段を有し、
前記受発注ペアとしての記録は、前記登録発注者が応募者リスト中の登録受注者が選択されたか、または、登録受注者アカウントでログインした利用者端末から前記連絡キー記録域に記録された連絡キーと同一の連絡キーが入力されたことによって、当該登録受注者と当該登録発注者とをペアとして実行されることを特徴とする仕事受注可能情報連絡システム。
【請求項３１】
前記サーバ装置は、さらに、
前記登録受注者情報記録域内に設けられた、当該登録受注者を一意に特定できるユニークキーを記録するユニークキー記録領域、および、
前記登録発注者アカウントによりログイン中の利用者端末からの、一又は複数の前記ユニークキーを含む仕事受注可能情報の要求に対し、前記受発注ペア記録域に記録された当該登録発注者の相手方の登録受注者であることを条件に、または、前記受発注ペア記録域に記録された当該登録発注者の相手方の登録受注者であることもしくは当該登録発注者アカウントについての前記応募者リスト記録域に記録された登録受注者であることを条件に、当該登録受注者の仕事受注可能情報を返信する一括要求受注者選別手段を
有することを特徴とする請求項２１ないし３０のいずれか一項に記載の仕事受注可能情報連絡システム。
【請求項３２】
前記サーバ装置は、さらに、
一の登録発注者アカウントを主アカウントとし、他の一又は複数の登録発注者アカウントをその従属アカウントとして、登録発注者アカウントの主従関係を記録する登録発注者アカウント主従関係リスト記録域を有することを特徴とする請求項１ないし３１のいずれか一項に記載の仕事受注可能情報連絡システム。
【請求項３３】
前記サーバ装置は、さらに、
前記登録受注者情報記録域内に設けられた、当該登録受注者を一意に特定できるユニークキーを記録するユニークキー記録領域、および、
前記従属アカウントによりログイン中の利用者端末からの、一又は複数の前記ユニークキーを含む仕事受注可能情報の要求に対し、前記受発注ペア記録域に記録された（当該登録発注者もしくは主アカウントの登録発注者）の相手方の登録受注者であることを条件に、または、前記受発注ペア記録域に記録された（当該登録発注者もしくは主アカウントの登録発注者）の相手方の登録受注者であること、もしくは、（当該従属アカウントもしくは当該主アカウント）についての前記応募者リスト記録域に記録された登録受注者であることを条件に、当該登録受注者の仕事受注可能情報を返信する一括要求受注者選別手段を有することを特徴とする請求項３２に記載の仕事受注可能情報連絡システム。
【請求項３４】
前記サーバ装置は、さらに、
前記受注可能案件記憶域内に設けられた、当該受注可能案件の単位日数あたり受注可能な仕事分量を記録する受注可能分量記録域、および、
前記利用者端末又は前記サーバ装置において、利用者端末から入力された仕事分量を前記の単位日数あたり受注可能な仕事分量で割った商から当該仕事を完了させるのに必要な日数または営業日数を算出し、さらに前記空き日程の初日から、最短で納品可能と見込まれる日付またはその一日後の日付である設定可能納期を前記発注者用画面に出力表示させる設定可能納期算出手段を有することを特徴とする請求項２１ないし３３のいずれか一項に記載の仕事受注可能情報連絡システム。
【請求項３５】
前記サーバ装置において、前記案件属性記録域の一部又は全部が、仕事を完了するのに必要な日数または営業日数を指定することにより受注可能な仕事案件の属性を記録する日額案件属性記録域であり、
前記サーバ装置は、さらに、
前記利用者端末又は前記サーバ装置において、利用者端末において入力された前記日額案件属性を有する仕事を完了するのに必要な日数または営業日数と前記空き日程の初日から、最短で納品可能と見込まれる日付またはその一日後の日付である設定可能納期を前記発注者用画面に出力表示させる日額案件用の設定可能納期算出手段を有することを特徴とする請求項２１ないし３４のいずれか一項に記載の仕事受注可能情報連絡システム。
【請求項３６】
前記サーバ装置は、さらに、登録受注者と登録発注者の間でなされた仕事の受発注の履歴を記録する受発注履歴記録域を有することを特徴とする請求項１ないし３５のいずれか一項に記載の仕事受注可能情報連絡システム。
【請求項３７】
前記受発注履歴記録域は、さらに、
前記受発注された仕事の、当該登録受注者にとっての取り組み易さを多段階評価した受注案件評価情報と、該受注案件評価情報の、当該登録受注者による当該登録発注者に対する閲覧許可の可否を記録する受注案件評価情報記録域を有することを特徴とする請求項３６に記載の仕事受注可能情報連絡システム。
【請求項３８】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記憶域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記憶域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域をそれぞれの記憶域において有する一又は複数の受注可能案件記憶域を含むサービスグループ記憶域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
登録受注者と登録発注者の間でなされた仕事の受発注の履歴を記録する受発注履歴記録域、ならびに、
前記受発注履歴記録域内に設けられた、前記受発注された仕事の、当該登録受注者にとっての取り組み易さを多段階評価した受注案件評価情報と、該受注案件評価情報の、当該登録受注者による当該登録発注者に対する閲覧許可の可否を記録する受注案件評価情報記録域を有することを特徴とする仕事受注可能情報連絡システム。
【請求項３９】
前記受発注履歴記録域は、さらに、
前記登録発注者アカウントによりログイン中の利用者端末から発注記録の要求があった際に、前記利用者端末が出力する発注者用画面に表示可能な当該登録受注者のすべての仕事受注可能情報を発注記録時保全情報として記録する発注記録時保全情報記録域を有することを特徴とする請求項３５ないし３８のいずれか一項に記載の仕事受注可能情報連絡システム。
【請求項４０】
前記受発注履歴記録域は、さらに、
前記登録受注者アカウントによりログイン中の利用者端末から受信する、受注した仕事に対する料金を請求する情報又は領収した情報を記録する料金請求・領収情報記録域を有することを特徴とする請求項３５ないし３９のいずれか一項に記載の仕事受注可能情報連絡システム。
【請求項４１】
前記登録発注者情報記録域は、さらに、
利用者端末からサーバ装置に対する一回の要求で同時に仕事受注可能情報を返信する登録受注者のリストを記録する一括要求用受注者リスト記録域を有することを特徴とする請求項１ないし４０のいずれか一項に記載の仕事受注可能情報連絡システム。
【請求項４２】
前記サーバ装置は、さらに、
前記登録受注者情報記録域に設けられた、当該登録受注者のタイムゾーンを記録する受注者タイムゾーン記録域、
前記登録発注者情報記録域に設けられた、当該登録発注者のタイムゾーンを記録する発注者タイムゾーン記録域、および、
前記受注者のタイムゾーンと前記発注者のタイムゾーンが異なる場合において、
前記登録発注者の発注者用画面に前記登録受注者の空き日程の初日を表示するとき、該初日とともに表示する時差を算出する時差算出手段を有することを特徴とする請求項１ないし４１に記載の仕事受注可能情報連絡システム。
【請求項４３】
前記空き日程初日特定情報記録域は、さらに、
基準設定日からの設定日数又は設定営業日数経過後に固定された年月日、または、その当日の年月日から設定日数又は設定営業日数後に保たれるように自動更新される年月日のいずれによって、前記空き日程の初日を特定するかを選択した情報を記録する特定方法選択情報記録域、および、
前記の基準設定日と前記の設定日数又は設定営業日数を記録する基準設定日・設定日数記録域を有することを特徴とする請求項１ないし４２のいずれか一項に記載の仕事受注可能情報連絡システム。
【請求項４４】
前記サーバ手段は、さらに、
端末のブラウザ装置と前記サーバ装置の間でセッションＩＤを用いたログイン管理を行うことにより、前記登録受注者記録域内の情報を、当該登録受注者の登録受注者アカウントによりログインした利用者端末および本システムのサービス提供者アカウントでログインした端末からの要求のみによって更新し、前記登録発注者記録域内の情報を、当該登録発注者の登録発注者アカウントによりログインした利用者端末および本システムのサービス提供者アカウントでログインした端末からの要求のみによって更新する情報セキュリティ手段を有することを特徴とする請求項１ないし４３のいずれか一項に記載の仕事受注可能情報連絡システム。
【請求項４５】
前記サーバ手段は、さらに、
利用者端末において、登録受注者アカウントを用いてログインすることによってのみ表示可能な受注者用画面と、前記登録受注者アカウントと同一の登録情報を有する登録発注者アカウントを用いてログインすることによってのみ表示可能な発注者用画面との間をログイン認証手続き無しのワンステップで遷移可能にするワンステップアカウント切替手段を有することを特徴とする請求項１ないし４４のいずれか一項に記載の仕事受注可能情報連絡システム。
【請求項４６】
前記案件属性記録域は、翻訳元および翻訳先言語情報を含む受注可能案件の属性を記録する記録域であることを特徴とする請求項１ないし４５のいずれか一項に記載の仕事受注可能情報連絡システム。
【請求項４７】
請求項１ないし４６のいずれか一項に記載の仕事受注可能情報連絡システムを用いて、受注者が、受注者用画面を出力表示している利用者端末から仕事受注可能情報を送信して前記サーバ装置の仕事受注可能情報記録域に記録した後、
受注可能情報閲覧者が、前記仕事受注可能情報を、利用者端末から前記サーバ装置に要求して返信させることにより前記利用者端末が発注者用画面に出力表示させることを特徴とする仕事受注可能情報送受信方法。
【発明の詳細な説明】
【技術分野】
【０００１】  本発明は、仕事受注者が仕事を受注しようとする際にネットワークシステムを用いて、仕事受注可能情報を発注者に対して連絡するシステム、特に、翻訳受注者が翻訳発注者に対して翻訳受注可能情報を連絡するシステムに関する。
【背景技術】
【０００２】  翻訳発注者が、登録翻訳者に翻訳を発注する翻訳発注管理において、登録翻訳者が自己のスケジュールを自ら更新できるように翻訳発注管理に使用するシステムを構成することによって、前記翻訳発注者（翻訳会社等）からの翻訳を行うためのスケジュールに加えて、他の翻訳発注者から依頼された翻訳を行なうためのスケジュールや、登録翻訳者の私用のためのスケジュールなども、登録翻訳者データベースに反映できることが開示されている（特許文献１参照）。【０００３】  また、各登録翻訳者のスケジュールを表形式又はカレンダー形式で入力して、登録翻訳者のスケジュールをデータベース化することによって、登録翻訳者への翻訳発注の管理を行うことが開示されている（特許文献２参照）。【０００４】  さらに、本発明者の一人は、以前に、登録翻訳者ごとにカレンダー方式でスケジュールを更新させれば、翻訳発注管理者にとって、多数の登録翻訳者のスケジュールの把握は、なおも煩雑で時間を要するものであり、さらに不確定な遠い未来のスケジュールまで表形式やカレンダー方式によって、管理する必要性に乏しく、また、発注量の少ない登録翻訳者は、煩雑なスケジュールの更新を行わなくなることが予想され、翻訳発注管理者にとって、迅速かつ正確に、多数の登録翻訳者のスケジュールを把握し、案件ごとに最適な登録翻訳者に発注することが困難であり、また、多数の翻訳発注者から翻訳を受注しているフリーランス翻訳者にとって、頻繁に更新される自己のスケジュールをすべての翻訳発注者に迅速かつ的確に連絡することは困難である点に着目し、登録翻訳者が基準日以降に所定の条件で未受注の前記翻訳案件の翻訳作業を行うことができるとする該基準日を、自らアクセスして更新することができる翻訳発注管理用システムによって、同時に多数の翻訳発注者に対して、空きスケジュールを迅速かつ的確に連絡することができることに想到した（特許文献３参照）。【０００５】  しかし、登録翻訳者のスケジュールは、翻訳会社各社が、独自のシステムを構築して管理し続けているのが実際であり、翻訳者のスケジュールを中心とした更新頻度の高いリアルタイム受注可能情報の更新管理を外部の一箇所のサイトで行い、翻訳会社を中心とする多数の翻訳発注者が円滑かつ適切な、リアルタイム受注可能情報の利用を行うには、利便性が不十分であった。【０００６】  例えば、発注者は、原稿の所定の条件に基づいて無料又は有料で翻訳を依頼することが可能であり、翻訳者は自己の資格に応じて有料の翻訳を受注することができる翻訳処理システムにおいても、発注者が、依頼する翻訳の受注される可能性を高め、さらに／または、より有利な条件で依頼できる翻訳者の選定に役立つ、外部の一箇所のサイトで更新管理が行われる翻訳者のリアルタイム受注可能情報を取り寄せて利用される状況には至っていない（特許文献４参照）。
【先行技術文献】
【０００７】
【特許文献１】特開２００１−３０６８８５号公報
【特許文献２】特開２００３−９１６６６号公報
【特許文献３】ＷＯ２００９／０１４００５
【特許文献４】特開２００７−１７９５１２
【発明の概要】
【発明が解決しようとする課題】
【０００８】  そこで、本発明は、上記問題点に鑑みてなされたものであって、本発明の目的は、受注者による仕事受注可能情報の更新が容易であり、多数の受注者のリアルタイムの仕事受注可能情報を迅速かつ的確に受信してその簡潔な表示を確認することにより、仕事発注業務を効率化することができる仕事受注可能情報連絡システムを提供することである。
【課題を解決するための手段】
【０００９】  上記目的を達成するために、本発明が提供する仕事受注可能情報連絡システムは、
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記憶域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記憶域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域をそれぞれの記憶域において有する一又は複数の受注可能案件記憶域、および、前記のすべての受注可能案件を発注者用画面に表示可能とする連絡先である登録発注者を記録した連絡先記録域を含むサービスグループ記憶域、ならびに、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段を有する（請求項１、４、６、１２、１３、１５、１７、２２、２６、３０、３８）。
これにより、受注者が空き日程の初日を特定するために必要な情報を一つのサーバ装置において更新することができ、所望の多数の登録発注者に連絡することができるため、受注者の情報更新意欲が高まり、登録発注者の利用者端末に送信・連絡されるリアルタイムの仕事受注可能情報の正確性が高まる。【００１０】  このとき、前記サービスグループ記憶域は、さらに、前記のすべての受注可能案件を発注者用画面に表示可能とする連絡先である登録発注者を記録した連絡先記録域を有することが好ましい（請求項１、４、６、１２、１３、１５、１７）。これにより、予め連絡先記録域に登録発注者を記録しておくことができ、前記受注可能案件記録域において記録・更新する仕事受注可能情報の連絡先を容易に所望どおりに設定することができる。【００１１】  また、前記サーバ装置は、前記の空き日程の初日を算出する際に、さらに、その当日の年月日から当該空き日程の初日までの日数または営業日数を算出し、前記発注者用画面において当該空き日程の初日と当該日数または営業日数とを相互に隣接するように当該登録受注者の受注者表記とともに表示させる空き日程初日迄日数算出表示手段を有することが好ましい（請求項１、６、１３、１７）。このように、空き日程の初日に加えて当該初日までの日数または営業日数を相互に隣接するように表示させることにより、空き日程の把握が視覚的に容易になる。【００１２】  さらに、前記サーバ装置は、その当日から前記空き日程の初日までの日数の半分以下である日数又は時間数を記録する小型案件受注可能情報記録域を有することが好ましい（請求項１、４、１３、１５、２６）。これにより、空き日程の初日のみでは伝えきれない、受注者の受注意欲にも関係が深い小型案件受注可能情報を容易に連絡できるようになる。【００１３】  また、前記受注可能案件記憶域のそれぞれは、さらに、当該受注可能案件の単位日数あたり受注可能な仕事分量を記録する受注可能分量記録域を有することが好ましい（請求項２、４、６、１２、３４）。このように、単位日数、例えば、一日あたり受注可能仕事分量を連絡可能にすると、発注者はより正確な受注可能情報を迅速に把握できるようになる。【００１４】  さらに、前記サーバ装置は、前記利用者端末又は前記サーバ装置において、利用者端末から入力された仕事分量を前記の単位日数あたり受注可能な仕事分量で割った商から当該仕事を完了させるのに必要な日数または営業日数を算出し、さらに前記空き日程の初日から、最短で納品可能と見込まれる日付またはその一日後の日付である設定可能納期を前記発注者用画面に出力表示させる設定可能納期算出手段を有することが好ましい（請求項３、４、６、３４）。これにより、受注者に対して設定可能な納期を短めに設定して発注者の業務に余裕を持たせることが容易になる。【００１５】  また、前記設定可能納期算出手段は、算出した当該仕事を完了するのに必要な日数または営業日数が、小型案件受注可能情報記録域に記録された日数以下である場合において、最短で納品可能と見込まれる日付またはその一日後の日付である設定可能納期を前記発注者用画面に出力表示させるものであることが好ましい（請求項５、１６、２３）。これにより、受注者に対して設定可能な納期を短めに設定して発注者の業務に余裕を持たせることが容易になる。【００１６】  さらに、前記設定可能納期算出手段は、前記の当該仕事を完了するのに必要な日数または営業日数を前記発注者用画面に出力表示させることが好ましい（請求項７）。これにより、所定の受注者に当該仕事案件を完了するのに必要な日数または営業日数の目安を把握することができ、受注者の選定の参考になる。【００１７】  また、前記の各受注可能案件記録域は、登録受注者が前記案件属性を有する仕事案件の受注を希望する仕事単価又は最低仕事単価である受注希望仕事単価を記録する仕事単価記録域を有することが好ましい（請求項８）。これにより、発注者との間の所定の契約がある場合とない場合の両方について、受注希望仕事単価を登録受注者が自由に設定して発注者に連絡することができる。【００１８】  さらに、前記の登録発注者情報記録域は、所定の登録受注者に対して所定の案件属性を有する仕事案件を発注可能である仕事単価又は仕事単価の範囲である発注可能単価情報を記録する発注可能仕事単価記録域を有することが好ましい（請求項９）。これにより、登録受注者に対して、発注可能な仕事単価を連絡することができる。さらに仕事単価の範囲である場合には、その範囲内での受注希望日額を連絡することを促すことができる。【００１９】  また、前記サーバ装置は、さらに
利用者端末から入力された仕事分量に基き、当該仕事分量を有する前記案件属性を有する仕事案件を前記登録受注者が受注して完了した場合の費用を、
前記受注希望仕事単価の記録が存在する場合においては、前記発注可能仕事単価の記録が存在しないか、当該受注希望仕事単価が当該発注可能仕事単価と一致若しくはその範囲に含まれる場合は、当該受注希望仕事単価を有効な仕事単価とし、
前記受注希望仕事単価の記録が存在しない場合においては、前記発注可能仕事単価若しくはその範囲の上限を有効な仕事単価として算出する費用算出手段を有することが好ましい（請求項１０）。
発注者および受注者双方からの受発注可能仕事単価の入力を自由化した場合には、このようなルールで有効化したものが商慣行の現実によりよく合致しており、受注者は実力に応じたより適正な日額の仕事を受注できるようになる。【００２０】  さらに、前記案件属性記録域は、その一部または全部が、仕事を完了するのに必要な日数または営業日数を指定することにより受注可能な仕事案件の属性を記録する日額案件属性記録域であることとすることができる（請求項１１、１２、１３、１５、１７、３５）。これにより、単位日数あたり受注可能な仕事分量で伝えるのは適切ではない属性を有する仕事案件について、仕事を完了するのに必要な日数または営業日数を指定することにより受注可能な仕事案件の属性を連絡することができる。【００２１】  また、前記サーバ装置は、前記利用者端末又は前記サーバ装置において、利用者端末において入力された前記日額案件属性を有する仕事を完了するのに必要な日数または営業日数と前記空き日程の初日から、最短で納品可能と見込まれる日付またはその一日後の日付である設定可能納期を前記発注者用画面に出力表示させる日額案件用の設定可能納期算出手段を有することが好ましい（請求項１４、１５、１７、３５）。これにより、受注者に対して設定可能な納期を短めに設定して発注者の業務に余裕を持たせることが容易になる。【００２２】  さらに、前記の各受注可能案件記録域は、登録受注者が前記日額案件属性を有する仕事案件の受注を希望する日額又は最低日額である受注希望日額を記録する日額記録域を有することが好ましい（請求項１８）。これにより、発注者との間の所定の契約がある場合とない場合の両方について、受注希望日額を登録受注者が自由に設定して発注者に連絡することができる。【００２３】  また、前記の登録発注者情報記録域は、さらに、所定の登録受注者に対して所定の日額案件属性を有する仕事案件を発注可能である日額又は日額の範囲である発注可能日額情報を記録する発注可能日額記録域を有することが好ましい（請求項１９）。これにより、登録受注者に対して、発注可能な日額を連絡することができる。さらに日額の範囲である場合には、その範囲内での受注希望日額を連絡することを促すことができる。【００２４】  さらに、前記サーバ装置は、利用者端末において入力された前記日額案件属性を有する仕事を完了するのに必要な日数または営業日数に基き、当該仕事案件を前記登録受注者が受注して完了した場合の費用を、
前記受注希望日額の記録が存在する場合においては、前記発注可能日額の記録が存在しないか、当該受注希望日額が当該発注可能日額と一致若しくはその範囲に含まれる場合は、当該受注希望日額を有効な日額とし、前記受注希望日額の記録が存在しない場合においては、前記発注可能日額若しくはその範囲の上限を有効な日額として、算出する日額案件用の費用算出手段を有することが好ましい（請求項２０）。
発注者および受注者双方からの受発注日額の入力を自由化した場合には、このようなルールで有効化したものが商慣行の現実によりよく合致しており、受注者は実力に応じたより適正な（分量単価案件属性を有する）仕事案件を受注できるようになる。【００２５】  また、前記サーバ装置は、さらに、少なくとも登録受注者の空き日程の初日を、登録発注者アカウントでログインした利用者端末が出力する発注者用画面において制限を受けることなく表示可能である、当該登録受注者と当該登録発注者のペアを受発注ペアとして記録する受発注ペア記録域、
前記登録発注者情報記録域内に設けられた、登録受注者アカウントでログインした利用者端末から入力されることにより自己を特定可能な連絡キーを記録する連絡キー記録域、
受発注ペアとしての記録を希望する登録受注者を募集する広告者としても登録された登録発注者のリストである受注者募集広告者リストを記録する受注者募集広告者リスト記録域、ならびに、
前記受注者募集広告者リストに記録された登録発注者について設けられた、当該募集に応募中であって、当該登録発注者との間で受発注ペアとして記録されていない登録受注者のリストである応募者リストを記録する応募者リスト記録域を有し、
前記受発注ペアとしての記録は、前記登録発注者が応募者リスト中の登録受注者が選択されたか、または、登録受注者アカウントでログインした利用者端末から前記連絡キー記録域に記録された連絡キーと同一の連絡キーが入力されたことによって、当該登録受注者と当該登録発注者とをペアとして実行されることが好ましい（請求項２１、２２、２６、３０）。【００２６】  これにより、発注者は、受注者募集広告者としての登録をすることが可能になり、登録した場合は、応募があった受注者の中から選択することにより、登録をしない場合でも連絡キーを設定して受注者に別途連絡し、システム内でマッチングさせることにより、容易に、受発注ペアの登録（記録）をすることができる。
受発注ペアの登録を行うことにより、相手方の登録発注者は、（受注者募集広告者でなくても）登録受注者による連絡先選択候補とすることができ、連絡先選択をされていなくても、少なくとも空き日程の初日情報を当該相手方の登録発注者は、閲覧することができる。【００２７】  さらに、前記小型案件受注可能情報記録域を有する前記登録受注者情報記録域は、さらに、前記受発注ペアの相手方からなる登録受注者群および／または一又は複数の前記サービスグループの連絡先からなる各登録受注者群を、前記小型案件受注可能情報の連絡先としての選択を記録する連絡先グループ選択情報記録域を有することが好ましい（請求項２４）。
これにより、踏み込んだ受注可能情報である小型案件受注可能情報まで伝える必要があると判断した連絡先の登録発注者を所望どおりに選択でき、かつ、登録受注者群を一括選択することで選択操作も簡便なものとなる。【００２８】  また、前記登録受注者情報記録域は、さらに、登録受注者が登録発注者向けに連絡するメッセージを記録するメッセージ記録域を有することが好ましい（請求項２５、２６）。これにより、受注者は発注者に対して、上記の情報のみでは伝えきれない受注可能情報をメッセージで補足して伝えることができる。【００２９】  さらに、前記登録受注者情報記録域は、前記メッセージ記録域のそれぞれについて、当該メッセージ記録域内に記録されたメッセージを連絡する連絡先として、前記受発注ペアの相手方からなる登録受注者群および／または一又は複数の前記サービスグループの連絡先からなる各登録受注者群を選択した情報を記録する連絡先グループ選択情報記録域を有することが好ましい（請求項２７）。これにより、受注者はメッセージごとの連絡先の登録発注者を所望どおりに選択でき、かつ、登録受注者群を一括選択することで選択操作も簡便なものとなる。【００３０】  また、前記登録受注者情報記録域は、さらに、複数の前記メッセージ記録域が属するグループの情報を記録するメッセージグループ情報記録域、および、
前記の同一グループに属するメッセージ記憶域のそれぞれについて、該メッセージ記録域内おいて記録されたメッセージを発注者用画面で表示する際の表示言語の相互に異なる選択情報を記録する表示言語選択情報記録域を有することが好ましい（請求項２８）。これにより、受信者は、同一の発注者向けメッセージを異なる言語に翻訳したものを同じメッセージグループとし、発注者用画面で選択されたサイトの表示言語に合わせたものを連絡することができる。【００３１】  さらに、前記サーバ装置は、さらに、登録発注者アカウントでログインした利用者端末から前記連絡キーの新規登録又は変更登録する際に、当該登録発注者との間で受発注ペアとして記録された受注者リストから解消するペアがないかの確認を促す受発注ペア維持解消確認手段を有することが好ましい（請求項２９、３０）。これにより、登録発注者が相手方の受発注ペア登録者を一新するためのペア解消手続きと、登録受注者からの再登録ができないように連絡キーを変更する手続きを同時に行うことができる。【００３２】  また、前記サーバ装置は、さらに、一の登録発注者アカウントを主アカウントとし、他の一又は複数の登録発注者アカウントをその従属アカウントとして、登録発注者アカウントの主従関係を記録する登録発注者アカウント主従関係リスト記録域を有することが好ましい（請求項３２）。これにより複数の発注者が、協力して発注業務を行う際に、共同で受注者情報を適正に活用することができる。【００３３】  さらに、前記サーバ装置は、さらに、
前記登録受注者情報記録域内に設けられた、当該登録受注者を一意に特定できるユニークキーを記録するユニークキー記録領域、および、
前記登録発注者アカウントによりログイン中の利用者端末からの、一又は複数の前記ユニークキーを含む仕事受注可能情報の要求に対し、前記受発注ペア記録域に記録された当該登録発注者の相手方の登録受注者であることを条件に、または、前記受発注ペア記録域に記録された当該登録発注者の相手方の登録受注者であることもしくは当該登録発注者アカウントについての前記応募者リスト記録域に記録された登録受注者であることを条件に、当該登録受注者の仕事受注可能情報を返信する一括要求受注者選別手段を
有することが好ましく（請求項３１）、アカウント主従関係リスト記録域を有する場合にあっては、前記サーバ装置は、さらに、
前記登録受注者情報記録域内に設けられた、当該登録受注者を一意に特定できるユニークキーを記録するユニークキー記録領域、および、
前記登録発注者アカウントによりログイン中の利用者端末からの、一又は複数の前記ユニークキーを含む仕事受注可能情報の要求に対し、前記受発注ペア記録域に記録された当該登録発注者の相手方の登録受注者であることを条件に、または、前記受発注ペア記録域に記録された当該登録発注者の相手方の登録受注者であることもしくは当該登録発注者アカウントについての前記応募者リスト記録域に記録された登録受注者であることを条件に、当該登録受注者の仕事受注可能情報を返信する一括要求受注者選別手段を有することが好ましい（請求項３２）。このように、一括要求受注者選別手段を有することにより、情報の送受信について意思を通じ合った受注者・発注者間のみにおいて、仕事受注可能情報の送受信を行うことができる。【００３４】  また、前記サーバ装置は、さらに、登録受注者と登録発注者の間でなされた仕事の受発注の履歴を記録する受発注履歴記録域を有することが好ましい（請求項３６、３８）。これにより、受注者および発注者双方とも、過去の受発注の記録をその後の仕事の受発注に生かすことができ、受発注業務の適正化を図ることができる。【００３５】  さらに、前記受発注履歴記録域は、前記受発注された仕事の、当該登録受注者にとっての取組み易さ／難さを多段階評価した受注案件評価情報と、該受注案件評価情報の、当該登録受注者による当該登録発注者に対する閲覧許可の可否を記録する受注案件評価情報記録域を有することが好ましい（請求項３７、３８）。これにより、受注者にとっては過去に受注した仕事の案件ごとの取組み易さ／難さを記録して振返り、その後の仕事の受注や取組みに生かすことができ、閲覧許可を得た発注者にとっては、直近の受注者の他の案件との取組み易さ／難さの情報を、有効活用することにより発注業務を適正化することができる。【００３６】  また、前記受発注履歴記録域は、前記登録発注者アカウントによりログイン中の利用者端末から発注記録の要求があった際に、前記利用者端末が出力する発注者用画面に表示可能な当該登録受注者のすべての仕事受注可能情報を発注記録時保全情報として記録する発注記録時保全情報記録域を有することが好ましい（請求項３９）。
これにより、発注記録の際に、発注の際に発注者が閲覧可能だった情報が保全できるようになり、事後的に思い違いなどで生じる可能性のある受発注に関する受注者と発注者間の争いを記録された保全情報という証拠をもって仲裁できるため、システムの利便性が高まる。【００３７】  さらに、前記受発注履歴記録域は、前記登録受注者アカウントによりログイン中の利用者端末から受信する、受注した仕事に対する料金を請求する情報又は領収した情報を記録する料金請求・領収情報記録域を有することが好ましい（請求項４０）。これにより、請求書や領収書の発行を本システムを通じて行うことができるようになり、受注者・発注者双方の業務負担が軽減する。【００３８】  また、前記登録発注者情報記録域は、利用者端末からサーバ装置に対する一回の要求で同時に仕事受注可能情報を返信する登録受注者のリストを記録する一括要求用受注者リスト記録域を有することが好ましい（請求項４１）。これにより、発注する仕事案件の属性ごとに発注先として好ましい受注者を予め登録しておいて、受注者を選定する際には、一回の要求で受注者として選定できる可能性の高い多数の受注者のリアルタイム受注可能情報を得て、発注業務の効率化と適正化を図ることができる。【００３９】  さらに、前記サーバ装置は、さらに、
前記登録受注者情報記録域に設けられた、当該登録受注者のタイムゾーンを記録する受注者タイムゾーン記録域、
前記登録発注者情報記録域に設けられた、当該登録発注者のタイムゾーンを記録する発注者タイムゾーン記録域、および、
前記受注者のタイムゾーンと前記発注者のタイムゾーンが異なる場合において、
前記登録発注者の発注者用画面に前記登録受注者の空き日程の初日を表示するとき、該初日とともに表示する時差を算出する時差算出手段を有することが好ましい（請求項４２）。これにより、本発明は、時差を考慮した世界中の受注者および発注者にとって利用価値の高いものになる。【００４０】  また、前記空き日程初日特定情報記録域は、さらに、
基準設定日からの設定日数又は設定営業日数経過後に固定された年月日、または、その当日の年月日から設定日数又は設定営業日数後に保たれるように自動更新される年月日のいずれによって、前記空き日程の初日を特定するかを選択した情報を記録する特定方法選択情報記録域、および、
前記の基準設定日と前記の設定日数又は設定営業日数を記録する基準設定日・設定日数記録域を有することが好ましい（請求項４３）。
これにより、空き日程の初日特定情報の、受注者による入力設定や保存管理が容易になるため更新意欲が高まり、発注者にとっては、より信頼性の高いリアルタイム情報としての空き日程の初日情報を得られるようになる。【００４１】  さらに、前記サーバ手段は、端末のブラウザ装置と前記サーバ装置の間でセッションＩＤを用いたログイン管理を行うことにより、前記登録受注者記録域内の情報を、当該登録受注者の登録受注者アカウントによりログインした利用者端末および本システムのサービス提供者アカウントでログインした端末からの要求のみによって更新し、前記登録発注者記録域内の情報を、当該登録発注者の登録発注者アカウントによりログインした利用者端末および本システムのサービス提供者アカウントでログインした端末からの要求のみによって更新する情報セキュリティ手段を有することが好ましい（請求項４４）。
このような情報セキュリティ手段を有することにより、システムの信頼性とともに利用価値が高まる。【００４２】  また、前記サーバ手段は、利用者端末において、登録受注者アカウントを用いてログインすることによってのみ表示可能な受注者用画面と、前記登録受注者アカウントと同一の登録情報を有する登録発注者アカウントを用いてログインすることによってのみ表示可能な発注者用画面との間をログイン認証手続き無しのワンステップで遷移可能にするワンステップアカウント切替手段を有することが好ましい（請求項４５）。
このように、ログイン認証手続き無しのワンステップで受注者用画面と発注者用画面の間を遷移できることにより、受注者は自分の仕事受注可能情報の更新と、発注者としての他の受注者の受注可能情報のチェックを迅速に行うことができ、システムの有用性が高まる。【００４３】  さらに、前記案件属性記録域は、翻訳元および翻訳先言語情報を含む受注可能案件の属性を記録する記録域とすることができる（請求項４６）。このように本発明は、特に、フリーランスが多数であって、一件当たり数日程度かかる仕事が多い翻訳業界において、翻訳者を受注者とする受注可能情報の連絡において有用性が高い。【００４４】  さらに、本発明によれば、仕事受注可能情報連絡システムを用いて、受注者が、受注者用画面を出力表示している利用者端末から仕事受注可能情報を送信して前記サーバ装置の仕事受注可能情報記録域に記録した後、
受注可能情報閲覧者が、前記仕事受注可能情報を、利用者端末から前記サーバ装置に要求して返信させることにより前記利用者端末が発注者用画面に出力表示させることを特徴とする仕事受注可能情報送受信方法が提供される（請求項４７）。
【発明の効果】
【００４５】  このように、本発明により、多数の受注者のリアルタイムの仕事受注可能情報を迅速かつ的確に送受信できるようにすることで、発注者がより適切な発注業務を効率的かつより適正に行うことが可能となった。
さらに、仕事の依頼の打診が多い優秀な受注者が、リアルタイムの仕事受注量に応じた仕事単価の設定権を握ることにより、仕事単価の下落を予防・緩和することで、仕事品質の劣化の予防・緩和を実現することが可能となった。
【図面の簡単な説明】
【００４６】
【図１】本発明の仕事受注可能情報連絡システムの概略図である。
【図２】本発明の発注者用画面において出力表示した翻訳受注者の一人分の翻訳受注可能情報連絡システムの一例である。
【図３】本発明の仕事受注可能情報連絡システムの使用方法の一例のフロー図である。
【図４】本発明の仕事受注可能情報連絡システムを使用する際の受発注ペア記録までのフロー図である。
【発明を実施するための形態】
【００４７】  本発明者の一人は、独自に、登録翻訳者が基準日以降に所定の条件で未受注の前記翻訳案件の翻訳作業を行うことができるとする該基準日を、自らアクセスして更新することができる翻訳発注管理用システムによって、同時に多数の翻訳発注者に対して、空きスケジュールを迅速かつ的確に連絡することができることに想到して、前記翻訳発注管理用システムを実用化していた。
しかし、登録翻訳者のスケジュールは、翻訳会社各社が、独自のシステムを構築して管理し続けているのが実際であり、翻訳者のスケジュールを中心とした更新頻度の高いリアルタイム受注可能情報の更新管理を外部の一箇所のサイトで行い、翻訳会社を中心とする多数の翻訳発注者が円滑かつ適切な、リアルタイム受注可能情報の利用を行うには、利便性が不十分であった。
【００４８】  そこでさらに、本発明者らは、鋭意研究を重ね、多数の翻訳者のリアルタイムの翻訳受注可能情報を迅速かつ的確に送受信できるようにすることで、翻訳発注者がより適切な発注業務を効率的かつより適正に行うことが可能となり、さらに、仕事の依頼の打診が多い優秀な翻訳者が、リアルタイムの翻訳受注量に応じた翻訳単価の設定権を握ることにより、翻訳単価の下落を予防・緩和することで、翻訳品質の劣化の予防・緩和を実現することが可能となる、翻訳に限定されない、受注者が自分で業務時間を設定して行う仕事の受注可能情報連絡システムである本発明を完成させた。
【００４９】  以下、本発明の実施の形態について図面を参照しながら詳細に説明するが、本発明はこれらに限定されるものではない。図１は、本発明の翻訳受注可能情報連絡システムの概略図である。
【００５０】  本発明は、少なくとも、サーバ装置４が、受注者用画面を出力表示している利用者端末３から仕事受注可能情報５を受信して記録した後、利用者端末３からの要求に応じて返信することにより、前記利用者端末３が前記仕事受注可能情報５を発注者用画面に出力表示する仕事受注可能情報連絡システムである。これにより、受注可能情報閲覧者２は、利用者端末の発注者用画面において、受注者１の仕事受注可能情報５を閲覧できる。
受注者１は、受注案件の仕事（例えば翻訳）を行う本人（例えば翻訳者）であっても、翻訳業務を行う法人の営業担当者のように本人でなくてもよい。
受注可能情報閲覧者２は、仕事案件の発注者のみならず、単なる市場調査を目的とした情報の閲覧や他の発注者に対して仕事を紹介しようとしている閲覧者も含み、単なる閲覧者であっても、以下で述べる登録発注者アカウントを取得として、登録発注者として本システムを利用することができる。
【００５１】  前記サーバ装置４は、図１のように以下の記憶域２０、４０等、手段６、７等を有する。本明細書において、記録域とは、ＨＤＤ，ＳＳＤ等の記録媒体中に設けられた記録領域をいい。手段とは、プログラムをいい、ｐｈｐプログラムのようにサーバ装置４において動作するものと、ｊａｖａｓｃｒｉｐｔプログラムのように利用者端末３に送信されて動作する場合がある。
【００５２】  まず、登録受注者情報記録域２０は、利用者端末３から送信された受注者１の一セットの登録情報を受信することにより作成される一の登録受注者アカウントについて一の記憶域として確保される。即ち、受注者１としての一の利用者登録に対して、一の登録受注者アカウントが確保される。
登録情報としては、少なくともメールアドレス、以下の受注者表記、ログインＩＤ、ログインパスワードを含むものが好ましく、一のメールアドレスに対して一のアカウントを作成することが好ましい。
登録受注者情報記録域２０は、受注者表記記録域２１、受注者タイムゾーン記録域２２、仕事受注可能情報記録域２３、ユニークキー記録域２８を有するが、以下それぞれについて説明する。
【００５３】  受注者表記記録域２１は、受注者１が発注者用画面において特定の登録受注者であることを示す受注者表記情報を記録する。受注者表記は、個人の氏名または屋号若しくは法人の名称、またはこれらの略称などであって、発注者用画面において相手方の受注者が十分に特定できる表記をいう。
受注者タイムゾーン記録域２２は、世界中の受注者が空き日程の初日を連絡する際に利用される受注者のタイムゾーンを記録する。
ユニークキー記録域２８は、当該登録受注者を一意に特定できるキーであり、例えば、登録受注者に割当てられた相互に重複しない登録番号を記録する。
【００５４】  仕事受注可能情報記録域２３は、当該登録受注者の仕事受注可能情報５を記録する記録域として、空き日程初日特定情報記録域２４、サービスグループ記録域２５、小型案件受注可能情報記録域２６とこれに対応する連絡先グループ選択情報記録域２６１、ならびに、メッセージ記録域２７とこれ対応する連絡先グループ選択情報記録域２７１、メッセージグループ情報記録域２７２、および、表示言語選択情報記録域２７３を有するが、以下、さらにこれらについて説明する。
【００５５】  空き日程初日特定情報記録域２４は、空き日程の初日を特定する情報、即ち、その初日のみならずその前日である埋まっている日程の終日であっても、その翌日を空き日程の初日と特定できるのでこれに含まれる。
また、前記空き日程初日特定情報記録域２４は、基準設定日からの設定日数又は設定営業日数経過後に固定された年月日、または、その当日の年月日から設定日数又は設定営業日数後に保たれるように自動更新される年月日のいずれによって、前記空き日程の初日を特定するかを選択した情報を記録する特定方法選択情報記録域２４１、および、前記の基準設定日と前記の設定日数又は設定営業日数を記録する基準設定日・設定日数記録域２４２を有することが好ましい。
これにより、空き日程の初日特定情報の、受注者１による入力設定や保存管理が容易になるため更新意欲が高まり、発注者にとっては、より信頼性の高いリアルタイム情報としての空き日程の初日情報を得られるようになる。
【００５６】  ここで、空き日程の初日は、空き日程初日算出手段６により、利用者端末３からの要求に応じて仕事受注可能情報５を返信する際に、前記利用者端末３又は前記サーバ装置４において、その当日の年月日と空き日程初日特定情報記録域に記録された情報から算出される。
【００５７】  さらに、空き日程初日迄日数算出表示手段７は、前記の空き日程の初日を算出する際に、さらに、その当日の年月日から当該空き日程の初日までの日数または営業日数を算出し、前記発注者用画面において当該空き日程の初日と当該日数または営業日数とを相互に隣接するように当該登録受注者の受注者表記とともに表示させる。このように、空き日程の初日に加えて当該初日までの日数または営業日数を相互に隣接するように表示させることにより、空き日程の把握が視覚的に容易になる。
【００５８】  相互に隣接するようにとは、具体的には表１のように、表１内で「２月１１日木曜日」である空き日程の初日に対して、表１内で「３」である日数または営業日数を、左前下、左前上、右後上、右後下、括弧で表示するような場合をいい、空き日程の初日の標準的な簡略な表示方法「２／１１木」、月を省略した表示方法「１１木」、曜日を省略した表示方法「２／１１」、月・曜日を省略した表示方法、曜日を英語にした表示方法、時差を併記した表示方法に対して日数または営業日数「３」を表示する場合を含む。
表１は、本発明の空き日程初日を空き日程初日迄日数とともに表示する実施例である。
【表１】
2017208055.tif 000003
【００５９】  サービスグループ記録域２５は、一の登録受注者情報記録域２０内に一又は複数存在し、それぞれが受注可能案件記録域２５１と連絡先記録域２５７とを有する。
受注可能案件記録域２５１は、一又は複数の案件属性記録域２５２とそのそれぞれに対応する受注可能分量記録域２５３と仕事単価記録域２５４、および、一又は複数の日額案件属性記録域２５５とそのそれぞれに対応する日額記録域２５６を有する。
【００６０】  案件属性記録域２５２は、受注可能な仕事案件の属性、即ち、発注者に対して発注可能な仕事案件の認識を生じさせる表記、例えば翻訳業務であれば、翻訳元言語と翻訳先言語の表記を記録する。さらに、受注可能な仕事案件の属性としては、発注者からの品質要求に応じ、高品質、スピード重視という表記も可能であり、さらに翻訳業務であれば、受注可能翻訳分野の表記を含むことが可能である。
【００６１】  受注可能分量記録域２５３は、当該受注可能案件の単位日数あたり受注可能な仕事分量を記録する。このように、単位日数、例えば、一日あたり受注可能仕事分量を連絡可能にすると、発注者はより正確な受注可能情報を迅速に把握できるようになり、後記の設定可能納期算出手段８による設定可能納期の自動算出にも役立つ。
【００６２】  仕事単価記録域２５４は、登録受注者が前記案件属性を有する仕事案件の受注を希望する仕事単価又は最低仕事単価である受注希望仕事単価を記録する。これにより、発注者との間の所定の契約がある場合とない場合の両方について、受注希望仕事単価を登録受注者が自由に設定して発注者に連絡することができる。
【００６３】  日額案件属性記録域２５５は、案件属性記録域の一部または全部とすることができ、仕事を完了するのに必要な日数または営業日数を指定することにより受注可能な仕事案件の属性を記録する。これにより、単位日数あたり受注可能な仕事分量で伝えるのは適切ではない属性を有する仕事案件について、仕事を完了するのに必要な日数または営業日数を指定することにより受注可能な仕事案件の属性を連絡することができる。単位日数あたり受注可能な仕事分量で伝えるのは適切ではない属性を有する仕事案件としては、翻訳済案件の品質の予想が困難なものの翻訳チェックや、他の仕事分量を特定した見積りを行って受任することが困難な専門的な事務作業案件が含まれる。
【００６４】  日額記録域２５６は、登録受注者が前記日額案件属性を有する仕事案件の受注を希望する日額又は最低日額である受注希望日額を記録する。これにより、発注者との間の所定の契約がある場合とない場合の両方について、受注希望日額を登録受注者が自由に設定して発注者に連絡することができる。
【００６５】  連絡先記録域２５７は、所属するサービスグループ記録域２５内の受注可能案件記録域２５１に記録されたすべての受注可能案件を発注者用画面に表示可能とする連絡先である登録発注者を記録する。これにより、予め連絡先記録域２５７に登録発注者を記録しておくことができ、受注可能案件記録域２５１において記録・更新する仕事受注可能情報５の連絡先を容易に所望どおりに設定することができる。
前記の連絡先である登録発注者の記録は、後記の受発注ペア記録域１１に記録された相手方の登録発注者への選択および受注者募集広告者リストに記録された登録発注者への応募（応募選択）によってなされることが、簡便であるので好ましい。
【００６６】  さらに、小型案件受注可能情報記録域２６は、その当日から前記空き日程の初日までの日数の半分以下である日数又は時間数を記録する。これにより、空き日程の初日のみでは伝えきれない、受注者の受注意欲にも関係が深い小型案件受注可能情報を容易に連絡できるようになる。特に、受注者用画面では、日数又は時間数を、単位を選択して数値を入力するか、セレクトボックスによる選択により入力できるようにすることが簡便なので好ましい。そして、発注者用画面では、前記の日数又は時間数が「３日」の例によれば、図２のＥ７のように「作業量３日以内の案件は空き日程によらず柔軟にご対応します。」というメッセージ表示を行うことが好ましい。
【００６７】  連絡先グループ選択情報記録域２６１は、さらに、前記受発注ペアの相手方からなる登録受注者群および／または一又は複数の前記サービスグループの連絡先からなる各登録受注者群を、前記小型案件受注可能情報の連絡先として選択を記録する。これにより、踏み込んだ受注可能情報である小型案件受注可能情報まで伝える必要があると判断した連絡先の登録発注者を所望どおりに選択でき、かつ、登録受注者群を一括選択することで選択操作も簡便なものとなる。
【００６８】  また、メッセージ記録域２７は、登録受注者が登録発注者向けに連絡するメッセージを記録する。これにより、受注者は発注者に対して、上記の情報のみでは伝えきれない受注可能情報をメッセージで補足して伝えることができる。
【００６９】  さらに、連絡先グループ選択情報記録域２７１は、前記メッセージ記録域２７のそれぞれについて、当該メッセージ記録域２７内に記録されたメッセージを連絡する連絡先として、前記受発注ペアの相手方からなる登録受注者群および／または一又は複数の前記サービスグループの連絡先からなる各登録受注者群を選択した情報を記録する。これにより、受注者はメッセージごとの連絡先の登録発注者を所望どおりに選択でき、かつ、登録受注者群を一括選択することで選択操作も簡便なものとなる。
【００７０】  また、メッセージグループ情報記録域２７２は、さらに、複数の前記メッセージ記録域２７が属するグループの情報を記録する。
表示言語選択情報記録域２７３は、前記の同一グループに属するメッセージ記憶域のそれぞれについて、該メッセージ記録域内おいて記録されたメッセージを発注者用画面で表示する際の表示言語の相互に異なる選択情報を記録する。これにより、受信者１は、同一の発注者向けメッセージを異なる言語に翻訳したものを同じメッセージグループとし、発注者用画面で選択されたサイトの表示言語に合わせたものを連絡することができる。
【００７１】  また、設定可能納期算出手段８は、第一に、利用者端末３又はサーバ装置４において、利用者端末３から入力された仕事分量を前記の単位日数あたり受注可能な仕事分量で割った商から当該仕事を完了させるのに必要な日数または営業日数を算出し、さらに前記空き日程の初日から、最短で納品可能と見込まれる日付またはその一日後の日付である設定可能納期を前記発注者用画面に出力表示させる。これにより、受注者に対して設定可能な納期を短めに設定して発注者の業務に余裕を持たせることが容易になる。
【００７２】  さらに、設定可能納期算出手段８は、第二に、前記の当該仕事を完了するのに必要な日数または営業日数を前記発注者用画面に出力表示させることが好ましい。これにより、所定の受注者に当該仕事案件を完了するのに必要な日数または営業日数の目安を把握することができ、受注者の選定の参考になる。
【００７３】  また、設定可能納期算出手段８は、第三に、算出した当該仕事を完了するのに必要な日数または営業日数が、小型案件受注可能情報記録域２６に記録された日数以下である場合において、最短で納品可能と見込まれる日付またはその一日後の日付である設定可能納期を前記発注者用画面に出力表示させる。これにより、受注者１に対して設定可能な納期を短めに設定して発注者の業務に余裕を持たせることが容易になる。
【００７４】  さらに、設定可能納期算出手段８は、第四に、日額案件用として、利用者端末３又はサーバ装置４において、利用者端末３において入力された前記日額案件属性を有する仕事を完了するのに必要な日数または営業日数と前記空き日程の初日から、最短で納品可能と見込まれる日付またはその一日後の日付である設定可能納期を前記発注者用画面に出力表示させる。これにより、受注者１に対して設定可能な納期を短めに設定して発注者の業務に余裕を持たせることが容易になる。
【００７５】  また、登録発注者情報記録域４０は、利用者端末３から送信された受注可能情報閲覧者の一セットの登録情報を受信することにより作成される一の登録発注者アカウントについて一の記憶域として確保される。即ち、発注者（受注可能情報閲覧者２）としての一の利用者登録に対して、一の登録発注者アカウントが確保される。
登録発注者情報記録域４０は、発注者表記記録域４１、発注者タイムゾーン記録域４２、一括要求用受注者リスト４３、受注者・分量単価案件属性記録域４４、そのそれぞれに対応する発注可能仕事単価記録域４５、受注者・日額案件属性記録域４６、および、連絡キー記録域４９を有するが、以下それぞれについて説明する。
【００７６】  発注者表記記録域４１は、受注可能情報閲覧者２が受注者用画面において特定の登録発注者であることを示す発注者表記情報を記録する。受注者表記は、個人の氏名または屋号若しくは法人の名称、またはこれらの略称などであって、発注者用画面において相手方の受注者が十分に特定できる表記をいう。
【００７７】  発注者タイムゾーン記録域４２は、当該登録発注者のタイムゾーンであって、世界中の登録発注者が、当該登録受注者の受注者タイムゾーン記録域２２に記録されたタイムゾーンとともに空き日程の初日を受信する際に時差を計算するためのタイムゾーンを記録する。
ここで、時差算出手段９は、前記受注者のタイムゾーンと前記発注者のタイムゾーンが異なる場合において、前記登録発注者の発注者用画面に前記登録受注者の空き日程の初日を表示するとき、該初日とともに表示する時差を算出する。これにより、本発明は、時差を考慮した世界中の受注者および発注者にとって利用価値の高いものになる。
【００７８】  また、一括要求者用受注者リスト記録域４３は、利用者端末３からサーバ装置に対する一回の要求で同時に仕事受注可能情報を返信する登録受注者のリストを記録する。これにより、発注する仕事案件の属性ごとに発注先として好ましい受注者を予め登録しておいて、受注者を選定する際には、一回の要求で受注者として選定できる可能性の高い多数の受注者のリアルタイム受注可能情報を得て、発注業務の効率化と適正化を図ることができる。
【００７９】  さらに、発注可能仕事単価記録域４５は、前記の登録発注者情報記録域４０は、所定の登録受注者に対して所定の案件属性（受注者・分量単価案件属性記録域４４）を有する仕事案件を発注可能である仕事単価又は仕事単価の範囲である発注可能単価情報を記録する。これにより、登録受注者に対して、発注可能な仕事単価を連絡することができる。さらに仕事単価の範囲である場合には、その範囲内での受注希望日額を連絡することを促すことができる。
【００８０】  ここで、費用算出手段１０は、
利用者端末３から入力された仕事分量に基き、当該仕事分量を有する前記案件属性を有する仕事案件を前記登録受注者が受注して完了した場合の費用を、
仕事単価記録域２５４に受注希望仕事単価の記録が存在する場合においては、発注可能仕事単価記録域４５に発注可能仕事単価の記録が存在しないか、当該受注希望仕事単価が当該発注可能仕事単価と一致若しくはその範囲に含まれる場合は、当該受注希望仕事単価を有効な仕事単価とし、
仕事単価記録域２５４に受注希望仕事単価の記録が存在しない場合においては、前記発注可能仕事単価若しくはその範囲の上限を有効な仕事単価として算出する。
発注者および受注者双方からの受発注可能仕事単価の入力を自由化した場合には、このようなルールで有効化したものが商慣行の現実によりよく合致しており、受注者は実力に応じたより適正な（分量単価案件属性を有する）仕事案件を受注できるようになる。
【００８１】  また、発注可能日額記録域４７は、さらに、所定の登録受注者に対して所定の日額案件属性を有する仕事案件を発注可能である日額又は日額の範囲である発注可能日額情報を記録する。これにより、登録受注者に対して、発注可能な日額を連絡することができる。さらに日額の範囲である場合には、その範囲内での受注希望日額を連絡することを促すことができる。
【００８２】  さらに、費用算出手段１０は、日額案件用として、利用者端末３において入力された前記日額案件属性を有する仕事を完了するのに必要な日数または営業日数に基き、当該仕事案件を前記登録受注者が受注して完了した場合の費用を、
前記受注希望日額の記録が存在する場合においては、前記発注可能日額の記録が存在しないか、当該受注希望日額が当該発注可能日額と一致若しくはその範囲に含まれる場合は、当該受注希望日額を有効な日額とし、前記受注希望日額の記録が存在しない場合においては、前記発注可能日額若しくはその範囲の上限を有効な日額として算出する。
発注者および受注者双方からの受発注日額の入力を自由化した場合には、このようなルールで有効化したものが商慣行の現実によりよく合致しており、受注者は実力に応じたより適正な日額の仕事を受注できるようになる。
【００８３】  連絡キー記録域４９は、登録受注者アカウントでログインした利用者端末３から入力されることにより当該登録発注者を特定可能な連絡キーを記録する。以上、登録発注者情報記録域４０内部に設けられた記録域について説明したが、以下ではさらに、登録発注者情報記録域４０と関係する外部の記録域や手段について説明する。
【００８４】  受発注ペア記録域１１は、少なくとも登録受注者の空き日程の初日を、登録発注者アカウントでログインした利用者端末３が出力する発注者用画面において制限を受けることなく表示可能である、当該登録受注者と当該登録発注者のペアを受発注ペアとして記録する。
受注者募集広告者リスト記録域５０は、受発注ペアとしての記録を希望する登録受注者を募集する広告者としても登録された登録発注者のリストである受注者募集広告者リストを記録する。これにより、登録発注者は、受注者募集広告者としての登録をすることが可能となる。
応募者リスト記録域４８は、前記受注者募集広告者リストに記録された登録発注者について（即ち、当該登録発注者の登録発注者情報記録域４０に対応するように）設けられ、当該募集に応募中（応募選択中）であって、当該登録発注者との間で受発注ペアとして記録されて登録受注者のリストである応募者リストを記録する。
【００８５】  前記受発注ペアとしての記録は、前記登録発注者が応募者リスト中の登録受注者が選択されたか、または、登録受注者アカウントでログインした利用者端末３から連絡キー記録域４９に記録された連絡キーと同一の連絡キーが入力されたことによって、当該登録受注者と当該登録発注者とをペアとして実行される。
これにより、発注者が受注者募集広告者として登録した場合は、応募があった受注者の中から選択することにより、登録をしない場合でも連絡キーを設定して受注者に別途連絡し、システム内でマッチングさせることにより、容易に、受発注ペアの登録（記録）をすることができる。
受発注ペアの登録を行うことにより、相手方の登録発注者は、（受注者募集広告者でなくても）登録受注者による連絡先選択候補とすることができ、連絡先選択をされていなくても、少なくとも空き日程の初日情報を当該相手方の登録発注者は、閲覧することができる。
【００８６】  さらに、受発注ペア維持解消確認手段１２は、登録発注者アカウントでログインした利用者端末から前記連絡キーの新規登録又は変更登録する際に、当該登録発注者との間で受発注ペアとして記録された受注者リストから解消するペアがないかの確認を促す。これにより、登録発注者が相手方の受発注ペア登録者を一新するためのペア解消手続きと、登録受注者からの再登録ができないように連絡キーを変更する手続きを同時に行うことができる。
【００８７】  また、登録発注者アカウント主従関係リスト記録域６０は、一の登録発注者アカウントを主アカウントとし、他の一又は複数の登録発注者アカウントをその従属アカウントとして、登録発注者アカウントの主従関係を記録する。これにより複数の発注者が、協力して発注業務を行う際に、共同で受注者情報を適正に活用することができる。
【００８８】  さらに、一括要求受注者選別手段１３は、前記登録発注者アカウントによりログイン中の利用者端末からの、一又は複数の前記のユニークキー記録域２８に記録された当該登録受注者を一意に特定できるユニークキーを含む仕事受注可能情報の要求に対し、前記受発注ペア記録域１１に記録された当該登録発注者の相手方の登録受注者であることを条件に、または、受発注ペア記録域１１に記録された当該登録発注者の相手方の登録受注者であることもしくは当該登録発注者アカウントについての応募者リスト記録域４８に記録された登録受注者であることを条件に、当該登録受注者の仕事受注可能情報を返信する。
【００８９】  また、アカウント主従関係リスト記録域を有する場合にあっては、一括要求受注者選別手段１３は、前記登録発注者アカウントによりログイン中の利用者端末３からの、一又は複数の前記ユニークキーを含む仕事受注可能情報の要求に対し、受発注ペア記録域１１に記録された当該登録発注者の相手方の登録受注者であることを条件に、または、前記受発注ペア記録域に記録された当該登録発注者の相手方の登録受注者であることもしくは当該登録発注者アカウントについての前記応募者リスト記録域に記録された登録受注者であることを条件に、当該登録受注者の仕事受注可能情報を返信する。
このように、一括要求受注者選別手段１３を有することにより、情報の送受信について意思を通じ合った受注者・発注者間のみにおいて、仕事受注可能情報の送受信を行うことができる。
【００９０】  また、受発注履歴記録域３０は、登録受注者と登録発注者の間でなされた仕事の受発注の履歴を記録する。これにより、受注者および発注者双方とも、過去の受発注の記録をその後の仕事の受発注に生かすことができ、受発注業務の適正化を図ることができる。
受発注履歴記録域３０は、発注記録時保全情報記録域３１、料金請求・領収情報記録域３２、および、受注案件評価情報記録域３３を有するが、以下それぞれについて説明する。
【００９１】  また、発注記録時保全情報記録域３１は、前記登録発注者アカウントによりログイン中の利用者端末から発注記録の要求があった際に、前記利用者端末が出力する発注者用画面に表示可能な当該登録受注者のすべての仕事受注可能情報を発注記録時保全情報として記録する。
これにより、発注記録の際に、発注の際に発注者が閲覧可能だった情報が保全できるようになり、事後的に思い違いなどで生じる可能性のある受発注に関する受注者と発注者間の争いを記録された保全情報という証拠をもって仲裁できるため、システムの利便性が高まる。
【００９２】  さらに、料金請求・領収情報記録域３２は、前記登録受注者アカウントによりログイン中の利用者端末から受信する、受注した仕事に対する料金を請求する情報又は領収した情報を記録する。これにより、請求書や領収書の発行を本システムを通じて行うことができるようになり、受注者・発注者双方の業務負担が軽減する。
【００９３】  さらに、受注案件評価情報記録域３３は、前記受発注された仕事の、当該登録受注者にとっての取組み易さ／難さを多段階評価した受注案件評価情報と、該受注案件評価情報の、当該登録受注者による当該登録発注者に対する閲覧許可の可否を記録する。これにより、受注者にとっては過去に受注した仕事の案件ごとの取組み易さ／難さを記録して振返り、その後の仕事の受注や取組みに生かすことができ、閲覧許可を得た発注者にとっては、直近の受注者の他の案件との取組み易さ／難さの情報を、有効活用することにより発注業務を適正化することができる。
表２は、本発明の受注案件評価情報記録域に記録する多段階評価の実施例（１１段階評価）である。
【表２】
2017208055.tif 000004
【００９４】  さらに、情報セキュリティ手段７０は、端末のブラウザ装置と前記サーバ装置の間でセッションＩＤを用いたログイン管理を行うことにより、前記登録受注者記録域内の情報を、当該登録受注者の登録受注者アカウントによりログインした利用者端末および本システムのサービス提供者アカウントでログインした端末からの要求のみによって更新し、前記登録発注者記録域内の情報を、当該登録発注者の登録発注者アカウントによりログインした利用者端末および本システムのサービス提供者アカウントでログインした端末からの要求のみによって更新する。このような情報セキュリティ手段７０を有することにより、システムの信頼性とともに利用価値が高まる。
【００９５】  また、ワンステップアカウント切替手段８０は、利用者端末において、登録受注者アカウントを用いてログインすることによってのみ表示可能な受注者用画面と、前記登録受注者アカウントと同一の登録情報を有する登録発注者アカウントを用いてログインすることによってのみ表示可能な発注者用画面との間をログイン認証手続き無しのワンステップで遷移可能にする。
このように、ログイン認証手続き無しのワンステップで受注者用画面と発注者用画面の間を遷移できることにより、受注者は自分の仕事受注可能情報の更新と、発注者としての他の受注者の受注可能情報のチェックを迅速に行うことができ、システムの有用性が高まる。
【００９６】  ワンステップでの画面遷移は、切替え用のボタンを押せばログイン認証手続き無しで画面が切り替われば十分であり、登録受注者アカウント又は登録発注者アカウントのいずれか一方のみが登録済みであり、未登録の他方のアカウントに遷移する際に、仮登録アカウントを作成する旨の注意喚起表示が出て了承を求める場合も含まれる。
例えば、ユニークキー記録域２８を登録受注者情報記録域２０のみならず登録発注者情報記録域４０にも設けて、ユニークキー（例えば登録番号。メールアドレスであってもよい）を登録受注者・登録発注者アカウント全てについて、一意に登録者を特定できるように設定して、一の登録者が、登録受注者と登録発注者アカウントの両方
【００９７】  さらに、前記案件属性記録域２５２は、翻訳元および翻訳先言語情報を含む受注可能案件の属性を記録する記録域とすることができる。このように本発明は、特に、フリーランスが多数であって、一件当たり数日程度かかる仕事が多い翻訳業界において、翻訳者を受注者とする受注可能情報の連絡において有用性が高い。
【００９８】  さらに、本発明によれば、仕事受注可能情報連絡システムを用いて、受注者１が、受注者用画面を出力表示している利用者端末３から仕事受注可能情報５を送信して前記サーバ装置４の仕事受注可能情報記録域２３に記録した後、受注可能情報閲覧者２が、仕事受注可能情報５を、利用者端末３から前記サーバ装置４に要求して返信させることにより前記利用者端末が発注者用画面に出力表示させることを特徴とする仕事受注可能情報送受信方法が提供される。
【００９９】  本発明の仕事受注可能情報連絡システムを用いた仕事受注可能情報送受信方法として、図３のように、利用者登録（Ｆ１）により登録受注者アカウントおよび／または登録発注者アカウントを作成した後、ログイン（Ｆ２、Ｆ３）して、受発注ペア記録（Ｆ４）を行う。
その後、受注者１は、空き日程初日設定（更新）を行い（Ｆ５）、仕事単価・日額設定（Ｆ７ａ）、連絡先設定（選択）（Ｆ８）など、サービスグループの設定（更新）をし（Ｆ６）、小型案件受注可能情報の設定（更新）（Ｆ９）とその連絡先グループ設定（選択）（Ｆ１０）、そして、メッセージ入力（記録）（Ｆ１１）とその連絡先グループ設定（Ｆ１２）を行う。
さらにその後、受注可能閲覧者２（発注者）が、受注可能情報表示を行い、最短設定可能納期の算出（Ｆ１４）、発注可能な仕事単価・日額の設定（Ｆ１５）、受発注が決まった際の発注記録（Ｆ１６）、および、受発注履歴の出入力（Ｆ１７）を行う。
そしてさらに、受注者２が、受発注履歴出入力（Ｆ１８）、料金請求・領収（Ｆ１９）、そして、受注案件評価入力（Ｆ２０）を行う。
【０１００】  なお、図４のように、受発注ペア記録まで詳しいフローとしては、利用者登録（Ｆ１）の後、受注可能情報閲覧者（発注者）による登録発注者ログイン（Ｆ３）→連絡キー設定（Ｇ１ａ）→受注者による登録受注者ログイン（Ｆ２）→連絡キー入力（Ｇ２ａ）で、連絡キーが同一であることが確認されたら、当該登録発注者と当該登録受注者を受発注ペアとして記録される。
また、利用者登録（Ｆ１）の後、受注可能情報閲覧者（発注者）による登録発注者ログイン（Ｆ３）→受注者募集広告社登録（Ｇ１ｂ）→受注者による登録受注者ログイン（Ｆ２）→応募先選択（Ｇ２ｂ）→受注可能情報閲覧者（発注者）による応募者選択（Ｇ３ｂ）で、選択されたら、当該登録発注者と当該登録受注者を受発注ペアとして記録される。
【０１０１】  このように、本発明により、多数の受注者のリアルタイムの仕事受注可能情報を迅速かつ的確に送受信できるようにすることで、発注者がより適切な発注業務を効率的かつより適正に行うことが可能となった。
さらに、仕事の依頼の打診が多い優秀な受注者が、リアルタイムの仕事受注量に応じた仕事単価の設定権を握ることにより、仕事単価の下落を予防・緩和することで、仕事品質の劣化の予防・緩和を実現することが可能となった。
【実施例１】
【０１０２】  翻訳業界向けの仕事受注可能情報連絡システムにおいて、翻訳者が空き日程の初日を次のタイミングで更新を行う。
▲１▼翻訳を受注した際
▲２▼受注した翻訳案件をチェックして、より正確な必要作業時間の見積もりができた際
▲３▼受注した翻訳案件の見積った必要作業時間に変動が生じた際
▲４▼受注した翻訳にキャンセルがあった際
▲５▼翻訳業務意欲に変動を生じた際
▲６▼スケジュールに変更があった際
例えば、翻訳者が、いつでもどこでも、携帯・スマホで翻訳の新規案件を受注した際には、すぐに、その携帯・スマホで当該仕事受注可能情報連絡システムにアクセスし、空き日程の初日を更新することで、リアルタイム情報がほぼ正確なものに保たれることになる。【０１０３】  さらに、図２のように、発注者用画面では、例えば、項目名Ｅ１中にある「空き日程初日」が、「１２／７月」となっており、その当日「１１／２８土」の９日後であるため左下に「９」という表示がある。当該翻訳者の個人ＨＰにアクセスする場合は、翻訳者ＷＥＢリンクボタンＥ２を押す。表示を部分的な内容に制限しており、その翻訳者の閲覧可能な全ての情報を表示する場合は、全表示ボタンＥ３を押す。その翻訳者への過去の発注履歴を確認するには、発注履歴ボタンＥ４を押す。【０１０４】  図では、４件の受注可能案件が表示されているが、案件属性＝翻訳案件として、一番左の「日英、英日、日英、翻訳チェック」と表示されており、上三件が（分量単価）案件属性の翻訳案件で、一番下が日額案件属性の翻訳チェックの仕事である。
連絡先として選択されている全てのサービスグループに含まれる受注可能案件が表示されるが、サービスグループの性質表示Ｅ５も表示可能である。例えば、すべての登録発注者向けのサービスグループの性質表示を「全」、受発注ペアの相手の発注者向けのサービスグループの性質表示を「登」、組織内の翻訳者から特定の翻訳発注者に向けたサービスグループの性質表示を「内」、受注者募集広告者向けの応募選択であるサービスグループの性質表示を「応」とすることができる。
さらに閲覧可能な小型案件受注可能情報Ｅ７や翻訳発注者向け連絡メッセージＥ８があれば表示される。
【実施例２】
【０１０５】  「１」を翻訳の仕事の優先度（早期納品意欲）とし「高」いか「低」いかの二択、「２」を翻訳受注意欲として「高」いか「低」いかの二択とした場合、業務意欲に関し、概ね以下の４通りの翻訳者が存在することになる。
▲１▼１高２高  （例）翻訳業務に集中して最大限稼ぎたいと思っている翻訳者
▲２▼１高２低  （例）翻訳の品質を上げることに特に力を入れて実力を磨きつつ、早期納品により顧客の信頼を高めたい翻訳者
▲３▼１低２高  （例）翻訳以外にやりたいことがあるが、翻訳でそれなりに稼ぎたい翻訳者
▲４▼１低２低  （例）翻訳以外にやりたいことが多く、翻訳ではある程度稼げればいいと考えている翻訳者
ここで、これらの「翻訳者の翻訳業務意欲の４ケース」について、３日程度の翻訳作業で納品できる案件であって納期が１０日後のものを、同日に時間をおいて２件受注した場合の空き日程初日、小型案件受注可能情報の入力方法の事例を以下説明する。【０１０６】  （▲１▼〜▲４▼共通）１日あたり受注可能分量−１日フルタイムの７割ぐらいの力でこなせる翻訳分量を設定することを推奨するのが好ましいが、その通りの分量を設定している場合、最初の１件目を受注したとき、▲１▼〜▲４▼ともに、本日中に着手すれば、大きな余裕をもって納期までに納品できるので、空き日程初日は１日後＝明日のままとする。
その後、２件目を受注したときの上記の４ケースにおける利用例
▲１▼空き日程初日を７〜９日後に「固定」で設定して、小型案件受注可能情報を「作業量３日以内の案件は空き日程によらず柔軟にご対応します。」とする。
▲２▼空き日程初日を７〜９日後に「固定」で設定し、小型案件受注可能情報−非表示とする。
▲３▼空き日程初日を７〜９日後に「自動更新」で設定し、小型案件受注可能情報を「作業量Ｘ日以内の案件は空き日程によらず柔軟にご対応します。」とする。その後、新規受注がない場合、Ｘ日を毎日１日ずつ減らし、０日になったら（＝納期が近づいたら）空始日を「固定」にして翻訳作業に集中する。
▲４▼空始日を９〜１１日後に「固定」で設定し、小型案件受注可能情報を非表示とする。または、空始日を７〜９日後に「自動更新」で設定し、小型案件受注可能情報を非表示、納期が近づいたら空始日を「固定」にして翻訳作業に集中）。【０１０７】  なお、空始日・小型案件受注可能情報で伝えきれない情報がある場合はメッセージ機能を用いて、スケジュールの特記事項を伝える。納期に追われている際、例えば余裕時間が１日未満の日程について、例えば「〜日までは一杯で新規受注はできません」と入力しておく。
なお、連絡された空き日程初日が、翻訳者の固定入力によるものか自動更新によるものかは、翻訳発注者には連絡されない。上記の翻訳業務意欲の高低については、翻訳者の自分自身の翻訳意欲を相対評価して本システムを利用する際の例示にすぎず、翻訳発注者側に、翻訳意欲に関する情報を伝えたい場合は、別途、メッセージに入力する。【０１０８】  なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
例えば、本実施例における仕事案件として翻訳案件を説明したが、これに限定されない。例えば、（分量単価）案件属性を有する仕事案件は、コラムライティングであって、単位日数あたり受注可能な仕事分量は、コラム文章量であってもよい。
【符号の説明】
【０１０９】  Ｅ１…項目名、Ｅ２…翻訳者ＷＥＢリンクボタン、Ｅ３…全表示ボタン、Ｅ４…発注履歴ボタン、Ｅ５…サービスグループ性質表示、Ｅ６…発注記録ボタン、Ｅ７…小型案件受注可能情報、Ｅ８…翻訳発注者向け連絡メッセージ。
【図１】
2017208055.tif 000005
【図２】
2017208055.tif 000006
【図３】
2017208055.tif 000007
【図４】
2017208055.tif 000008
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記録域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記録域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域をそれぞれの記録域において有する一又は複数の受注可能案件記録域、および、前記のすべての受注可能案件を発注者用画面に表示可能とする連絡先である登録発注者を記録した連絡先記録域を含むサービスグループ記録域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
前記の空き日程の初日を算出する際に、さらに、その当日の年月日から当該空き日程の初日までの日数または営業日数を算出し、前記発注者用画面において当該空き日程の初日と当該日数または営業日数とを相互に隣接するように当該登録受注者の受注者表記とともに表示させる空き日程初日迄日数算出表示手段、ならびに、
その当日から前記空き日程の初日までの日数の半分以下である日数又は時間数を記録する小型案件受注可能情報記録域を有することを特徴とする仕事受注可能情報連絡システム。
【請求項２】
前記受注可能案件記録域のそれぞれは、さらに、
当該受注可能案件の単位日数あたり受注可能な仕事分量を記録する受注可能分量記録域を有することを特徴とする請求項１に記載の仕事受注可能情報連絡システム。
【請求項３】
前記サーバ装置は、さらに、
前記利用者端末又は前記サーバ装置において、利用者端末から入力された仕事分量を前記の単位日数あたり受注可能な仕事分量で割った商から当該仕事を完了させるのに必要な日数または営業日数を算出し、さらに前記空き日程の初日から、最短で納品可能と見込まれる日付またはその一日後の日付である設定可能納期を前記発注者用画面に出力表示させる設定可能納期算出手段を有することを特徴とする請求項２に記載の仕事受注可能情報連絡システム。
【請求項４】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記録域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記録域として確保される登録発注者情報記録域、
前記受注可能情報閲覧者が受注者用画面において特定の登録受注者であることを示す発注者表示情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域と当該受注可能案件の単位日数あたり受注可能な仕事分量を記録する受注可能分量記録域とをそれぞれの記録域において有する一又は複数の受注可能案件記録域、および、前記のすべての受注可能案件を発注者用画面に表示可能とする連絡先である登録発注者を記録した連絡先記録域を含むサービスグループ記録域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
前記利用者端末又は前記サーバ装置において、利用者端末から入力された仕事分量を前記の単位日数あたり受注可能な仕事分量で割った商から当該仕事を完了するのに必要な日数または営業日数を算出し、さらに前記空き日程の初日から、最短で納品可能と見込まれる日付またはその一日後の日付である設定可能納期を前記発注者用画面に出力表示させる設定可能納期算出手段、ならびに、
その当日から前記空き日程の初日までの日数の半分以下である日数又は時間数を記録する小型案件受注可能情報記録域を有することを特徴とする仕事受注可能情報連絡システム。
【請求項５】
前記設定可能納期算出手段は、さらに
算出した当該仕事を完了するのに必要な日数または営業日数が、小型案件受注可能情報記録域に記録された日数以下である場合において、最短で納品可能と見込まれる日付またはその一日後の日付である設定可能納期を前記発注者用画面に出力表示させることを特徴とする請求項３または４に記載の仕事受注可能情報連絡システム。
【請求項６】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記録域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記録域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、一又は複数の各受注可能案件の属性を記録する案件属性記録域と当該受注可能案件の単位日数あたり受注可能な仕事分量を記録する受注可能分量記録域とをそれぞれの記録域において有する一又は複数の受注可能案件記録域、および、前記のすべての受注可能案件を発注者用画面に表示可能とする連絡先である登録発注者を記録した連絡先記録域を含むサービスグループ記録域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
前記利用者端末又は前記サーバ装置において、利用者端末から入力された仕事分量を前記の単位日数あたり受注可能な仕事分量で割った商から当該仕事を完了するのに必要な日数または営業日数を算出し、さらに前記空き日程の初日から、最短で納品可能と見込まれる日付またはその一日後の日付である設定可能納期を前記発注者用画面に出力表示させる設定可能納期算出手段、ならびに、
前記の空き日程の初日を算出する際に、さらに、その当日の年月日から当該空き日程の初日までの日数または営業日数を算出し、前記発注者用画面において当該空き日程の初日と当該日数または営業日数とを相互に隣接するように当該登録受注者の受注者表記とともに表示させる空き日程初日迄日数算出表示手段を有することを特徴とする仕事受注可能情報連絡システム。
【請求項７】
前記設定可能納期算出手段は、さらに
前記の当該仕事を完了するのに必要な日数または営業日数を前記発注者用画面に出刀表示させることを特徴とする請求項３または４に記載の仕事受注可能情報連絡システム。
【請求項８】
前記の各受注可能案件記録域は、さらに、
登録受注者が前記案件属性を有する仕事案件の受注を希望する仕事単価又は最低仕事単価である受注希望仕事単価を記録する仕事単価記録域を有することを特徴とする請求項１ないし７のいずれか一項に記載の仕事受注可能情報連絡システム。
【請求項９】
前記の登録発注者情報記録域は、さらに、
所定の登録受注者に対して所定の案件属性を有する仕事案件を発注可能である仕事単価又は仕事単価の範囲である発注可能単価情報を記録する発注可能仕事単価記録域を有することを特徴とする請求項１ないし８のいずれか一項に記載の仕事受注可能情報連絡システム。
【請求項１０】
前記サーバ装置は、さらに
利用者端末から入力された仕事分量に基き、当該仕事分量を有する前記案件属性を有する仕事案件を前記登録受注者が受注して完了した場合の費用を、
前記受注希望仕事単価の記録が存在する場合においては、前記発注可能仕事単価の記録が存在しないか、当該受注希望仕事単価が当該発注可能仕事単価と一致若しくはその範囲に含まれる場合は、当該受注希望仕事単価を有効な仕事単価とし、
前記受注希望仕事単価の記録が存在しない場合においては、前記発注可能仕事単価若しくはその範囲の上限を有効な仕事単価として、算出する費用算出手段を有することを特徴とする請求項８を引用する請求項９に記載の仕事受注可能情報連絡システム。
【請求項１１】
前記案件属性記録域は、複数存在しており、その一部が、
仕事を完了するのに必要な日数または営業日数を指定することにより受注可能な仕事案件の属性を記録する日額案件属性記録域であることを特徴とする請求項１ないし１０のいずれか一項に記載の仕事受注可能情報連絡システム。
【請求項１２】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記録域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記録域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する複数の案件属性記録域と当該受注可能案件の単位日数あたり受注可能な仕事分量を記録する受注可能分量記録域とをそれぞれの記録域において有する一又は複数の受注可能案件記録域、および、前記のすべての受注可能案件を発注者用画面に表示可能とする連絡先である登録発注者を記録した連絡先記録域を含むサービスグループ記録域、ならびに
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段を有し、
前記案件属性記録域の一部が、仕事を完了するのに必要な日数または営業日数を指定することにより受注可能な仕事案件の属性を記録する日額案件属性記録域であることを特徴とする仕事受注可能情報連絡システム。
【請求項１３】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記録域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記録域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する複数の案件属性記録域をそれぞれの記録域において有する一又は複数の受注可能案件記録域、および、前記のすべての受注可能案件を発注者用画面に表示可能とする連絡先である登録発注者を記録した連絡先記録域を含むサービスグループ記録域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
前記の空き日程の初日を算出する際に、さらに、その当日の年月日から当該空き日程の初日までの日数または営業日数を算出し、前記発注者用画面において当該空き日程の初日と当該日数または営業日数とを相互に隣接するように当該登録受注者の受注者表記とともに表示させる空き日程初日迄日数算出表示手段、ならびに、
その当日から前記空き日程の初日までの日数の半分以下である日数又は時間数を記録する小型案件受注可能情報記録域を有し、
前記案件属性記録域は、仕事を完了するのに必要な日数または営業日数を指定することにより受注可能な仕事案件の属性を記録する日額案件属性記録域であることを特徴とする仕事受注可能情報連絡システム。
【請求項１４】
前記サーバ装置は、さらに、
前記利用者端末又は前記サーバ装置において、利用者端末において入力された前記日額案件属性を有する仕事を完了するのに必要な日数または営業日数と前記空き日程の初日から、最短で納品可能と見込まれる日付またはその一日後の日付である設定可能納期を前記発注者用画面に出力表示させる日額案件用の設定可能納期算出手段を有することを特徴とする請求項１１ないし１３のいずれか一項に記載の仕事受注可能情報連絡システム。
【請求項１５】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記録域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記録域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する複数の案件属性記録域をそれぞれの記録域において有する一又は複数の受注可能案件記録域、および、前記のすべての受注可能案件を発注者用画面に表示可能とする連絡先である登録発注者を記録した連絡先記録域を含むサービスグループ記録域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、ならびに、
その当日から前記空き日程の初日までの日数の半分以下である日数又は時間数を記録する小型案件受注可能情報記録域を有し、
前記案件属性記録域は、仕事を完了するのに必要な日数または営業日数を指定することにより受注可能な仕事案件の属性を記録する日額案件属性記録域であり、
前記サーバ装置は、さらに、
前記利用者端末又は前記サーバ装置において、利用者端末において入力された前記日額案件属性を有する仕事を完了するのに必要な日数または営業日数と前記空き日程の初日から、最短で納品可能と見込まれる日付またはその一日後の日付である設定可能納期を前記発注者用画面に出力表示させる日額案件用の設定可能納期算出手段を有することを特徴とする仕事受注可能情報連絡システム。
【請求項１６】
前記設定可能納期算出手段は、さらに、
算出した当該仕事を完了するのに必要な日数または営業日数が、小型案件受注可能情報記録域に記録された日数以下である場合において、最短で納品可能と見込まれる日付またはその一日後の日付である設定可能納期を前記発注者用画面に出力表示させることを特徴とする請求項１４または１５に記載の仕事受注可能情報連絡システム。
【請求項１７】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記録域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記録域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する複数の案件属性記録域をそれぞれの記録域において有する一又は複数の受注可能案件記録域、および、前記のすべての受注可能案件を発注者用画面に表示可能とする連絡先である登録発注者を記録した連絡先記録域を含むサービスグループ記録域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、ならびに、
前記の空き日程の初日を算出する際に、さらに、その当日の年月日から当該空き日程の初日までの日数または営業日数を算出し、前記発注者用画面において当該空き日程の初日と当該日数または営業日数とを相互に隣接するように当該登録受注者の受注者表記とともに表示させる空き日程初日迄日数算出表示手段を有し、
前記案件属性記録域は、仕事を完了するのに必要な日数または営業日数を指定することにより受注可能な仕事案件の属性を記録する日額案件属性記録域であり、
前記サーバ装置は、さらに、
前記利用者端末又は前記サーバ装置において、利用者端末において入力された前記日額案件属性を有する仕事を完了するのに必要な日数または営業日数と前記空き日程の初日から、最短で納品可能と見込まれる日付またはその一日後の日付である設定可能納期を前記発注者用画面に出力表示させる日額案件用の設定可能納期算出手段を有することを特徴とする仕事受注可能情報連絡システム。
【請求項１８】
前記の各受注可能案件記録域は、さらに、
登録受注者が前記日額案件属性を有する仕事案件の受注を希望する日額又は最低日額である受注希望日額を記録する日額記録域を
有することを特徴とする請求項１１ないし１７のいずれか一項に記載の仕事受注可能情報連絡システム。
【請求項１９】
前記の登録発注者情報記録域は、さらに、
所定の登録受注者に対して所定の日額案件属性を有する仕事案件を発注可能である日額又は日額の範囲である発注可能日額を記録する発注可能日額記録域を有することを特徴とする請求項１１ないし１８のいずれか一項に記載の仕事受注可能情報連絡システム。
【請求項２０】
前記サーバ装置は、さらに、
利用者端末において入力された前記日額案件属性を有する仕事を完了するのに必要な日数または営業日数に基き、当該仕事案件を前記登録受注者が受注して完了した場合の費用を、
前記受注希望日額の記録が存在する場合においては、前記発注可能日額の記録が存在しないか、当該受注希望日額が当該発注可能日額と一致若しくはその範囲に含まれる場合は、当該受注希望日額を有効な日額とし、前記受注希望日額の記録が存在しない場合においては、前記発注可能日額若しくはその範囲の上限を有効な日額として、算出する日額案件用の費用算出手段を有することを特徴とする請求項１８を引用する請求項１９に記載の仕事受注可能情報連絡システム。
【請求項２１】
前記サーバ装置は、さらに、
少なくとも登録受注者の空き日程の初日を、登録発注者アカウントでログインした利用者端末が出力する発注者用画面において制限を受けることなく表示可能である、当該登録受注者と当該登録発注者のペアを受発注ペアとして記録する受発注ペア記録域、
前記登録発注者情報記録域内に設けられた、登録受注者アカウントでログインした利用者端末から入力されることにより自己を特定可能な連絡キーを記録する連絡キー記録域、
受発注ペアとしての記録を希望する登録受注者を募集する広告者としても登録された登録発注者のリストである受注者募集広告者リストを記録する受注者募集広告者リスト記録域、ならびに、
前記受注者募集広告者リストに記録された登録発注者について設けられた、当該募集に応募中であって、当該登録発注者との間で受発注ペアとして記録されていない登録受注者のリストである応募者リストを記録する応募者リスト記録域を有し、
前記受発注ペアとしての記録は、前記登録発注者が応募者リスト中の登録受注者が選択されたか、または、登録受注者アカウントでログインした利用者端末から前記連絡キー記録域に記録された連絡キーと同一の連絡キーが入力されたことによって、当該登録受注者と当該登録発注者とをペアとして実行されることを特徴とする請求項１ないし２０のいずれか一項に記載の仕事受注可能情報連絡システム。
【請求項２２】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記録域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記録域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域をそれぞれの記録域において有する一又は複数の受注可能案件記録域を含むサービスグループ記録域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
その当日から前記空き日程の初日までの日数の半分以下である日数又は時間数を記録する小型案件受注可能情報記録域、
少なくとも登録受注者の空き日程の初日を、登録発注者アカウントでログインした利用者端末が出力する発注者用画面において制限を受けることなく表示可能である、当該登録受注者と当該登録発注者のペアを受発注ペアとして記録する受発注ペア記録域、
前記登録発注者情報記録域内に設けられた、登録受注者アカウントでログインした利用者端末から入力されることにより自己を特定可能な連絡キーを記録する連絡キー記録域、
受発注ペアとしての記録を希望する登録受注者を募集する広告者としても登録された登録発注者のリストである受注者募集広告者リストを記録する受注者募集広告者リスト記録域、ならびに、
前記受注者募集広告者リストに記録された登録発注者について設けられた、当該募集に応募中であって、当該登録発注者との間で受発注ペアとして記録されていない登録受注者のリストである応募者リストを記録する応募者リスト記録域を有し、
前記受発注ペアとしての記録は、前記登録発注者が応募者リスト中の登録受注者が選択されたか、または、登録受注者アカウントでログインした利用者端末から前記連絡キー記録域に記録された連絡キーと同一の連絡キーが入力されたことによって、当該登録受注者と当該登録発注者とをペアとして実行されることを特徴とする仕事受注可能情報連絡システム。
【請求項２３】
前記利用者端末又は前記サーバ装置において、利用者端末から入力された仕事分量を前記の単位日数あたり受注可能な仕事分量で割った商から当該仕事を完了させるのに必要な日数または営業日数を算出し、さらに前記空き日程の初日から、最短で納品可能と見込まれる日付またはその一日後の日付である設定可能納期を前記発注者用画面に出力表示させる設定可能納期算出手段を有し、
前記設定可能納期算出手段は、さらに、
算出した当該仕事を完了するのに必要な日数または営業日数が、小型案件受注可能情報記録域に記録された日数以下である場合において、最短で納品可能と見込まれる日付またはその一日後の日付である設定可能納期を前記発注者用画面に出力表示させることを特徴とする請求項２２に記載の仕事受注可能情報連絡システム。
【請求項２４】
前記小型案件受注可能情報記録域を有する前記登録受注者情報記録域は、さらに、
前記受発注ペアの相手方からなる登録受注者群および／または一又は複数の前記サービスグループの連絡先からなる各登録受注者群を、前記小型案件受注可能情報の連絡先としての選択を記録する連絡先グループ選択情報記録域を有することを特徴とする請求項２２に記載の仕事受注可能情報連絡システム。
【請求項２５】
前記登録受注者情報記録域は、さらに、登録受注者が登録発注者向けに連絡するメッセージを記録するメッセージ記録域を有することを特徴とする請求項１ないし２４のいずれか一項に記載の仕事受注可能情報連絡システム。
【請求項２６】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記録域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記録域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域をそれぞれの記録域において有する一又は複数の受注可能案件記録域を含むサービスグループ記録域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
前記登録受注者情報記録域内に設けられた、登録受注者が登録発注者向けに連絡するメッセージを記録するメッセージ記録域、
少なくとも登録受注者の空き日程の初日を、登録発注者アカウントでログインした利用者端末が出力する発注者用画面において制限を受けることなく表示可能である、当該登録受注者と当該登録発注者のペアを受発注ペアとして記録する受発注ペア記録域、
前記登録発注者情報記録域内に設けられた、登録受注者アカウントでログインした利用者端末から入力されることにより自己を特定可能な連絡キーを記録する連絡キー記録域、
受発注ペアとしての記録を希望する登録受注者を募集する広告者としても登録された登録発注者のリストである受注者募集広告者リストを記録する受注者募集広告者リスト記録域、ならびに、
前記受注者募集広告者リストに記録された登録発注者について設けられた、当該募集に応募中であって、当該登録発注者との間で受発注ペアとして記録されていない登録受注者のリストである応募者リストを記録する応募者リスト記録域を有し、
前記受発注ペアとしての記録は、前記登録発注者が応募者リスト中の登録受注者が選択されたか、または、登録受注者アカウントでログインした利用者端末から前記連絡キー記録域に記録された連絡キーと同一の連絡キーが入力されたことによって、当該登録受注者と当該登録発注者とをペアとして実行されることを特徴とする仕事受注可能情報連絡システム。
【請求項２７】
前記登録受注者情報記録域は、さらに、前記メッセージ記録域のそれぞれについて、当該メッセージ記録域内に記録されたメッセージを連絡する連絡先として、前記受発注ペアの相手方からなる登録受注者群および／または一又は複数の前記サービスグループの連絡先からなる各登録受注者群を選択した情報を記録する連絡先グループ選択情報記録域を有することを特徴とする請求項２１もしくは２２を引用する請求項２５または請求項２６に記載の仕事受注可能情報連絡システム。
【請求項２８】
前記登録受注者情報記録域は、さらに、
複数の前記メッセージ記録域が属するグループの情報を記録するメッセージグループ情報記録域、および、
前記の同一グループに属するメッセージ記録域のそれぞれについて、該メッセージ記録域内おいて記録されたメッセージを発注者用画面で表示する際の表示言語の相互に異なる選択情報を記録する表示言語選択情報記録域を有することを特徴とする請求項２７に記載の仕事受注可能情報連絡システム。
【請求項２９】
前記サーバ装置は、さらに、
登録発注者アカウントでログインした利用者端末から前記連絡キーの新規登録又は変更登録する際に、当該登録発注者との間で受発注ペアとして記録された受注者リストから解消するペアがないかの確認を促す受発注ペア維持解消確認手段を有することを特徴とする請求項２１、２２、および２６のいずれか一項に記載の仕事受注可能情報連絡システム。
【請求項３０】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記録域として確保される登録受注者情報記録域、前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記録域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域をそれぞれの記録域において有する一又は複数の受注可能案件記録域を含むサービスグループ記録域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
少なくとも登録受注者の空き日程の初日を、登録発注者アカウントでログインした利用者端末が出力する発注者用画面において制限を受けることなく表示可能である、当該登録受注者と当該登録発注者のペアを受発注ペアとして記録する受発注ペア記録域、
前記登録発注者情報記録域内に設けられた、登録受注者アカウントでログインした利用者端末から入力されることにより自己を特定可能な連絡キーを記録する連絡キー記録域、
受発注ペアとしての記録を希望する登録受注者を募集する広告者としても登録された登録発注者のリストである受注者募集広告者リストを記録する受注者募集広告者リスト記録域、
前記受注者募集広告者リストに記録された登録発注者の登録発注者情報記録域内に設けられた、当該募集に応募中であって、当該登録発注者との間で受発注ペアとして記録されていない登録受注者のリストである応募者リストを記録する応募者リスト記録域、ならびに、
登録発注者アカウントでログインした利用者端末から前記連絡キーの新規登録又は変更登録する際に、当該登録発注者との間で受発注ペアとして記録された受注者リストから解消するペアがないかの確認を促す受発注ペア維持解消確認手段を有し、
前記受発注ペアとしての記録は、前記登録発注者が応募者リスト中の登録受注者が選択されたか、または、登録受注者アカウントでログインした利用者端末から前記連絡キー記録域に記録された連絡キーと同一の連絡キーが入力されたことによって、当該登録受注者と当該登録発注者とをペアとして実行されることを特徴とする仕事受注可能情報連絡システム。
【請求項３１】
前記サーバ装置は、さらに、
前記登録受注者情報記録域内に設けられた、当該登録受注者を一意に特定できるユニークキーを記録するユニークキー記録領域、および、
前記登録発注者アカウントによりログイン中の利用者端末からの、一又は複数の前記ユニークキーを含む仕事受注可能情報の要求に対し、前記受発注ペア記録域に記録された当該登録発注者の相手方の登録受注者であることを条件に、または、前記受発注ペア記録域に記録された当該登録発注者の相手方の登録受注者であることもしくは当該登録発注者アカウントについての前記応募者リスト記録域に記録された登録受注者であることを条件に、当該登録受注者の仕事受注可能情報を返信する一括要求受注者選別手段を
有することを特徴とする請求項２１、２２、２６、および３０のいずれか一項に記載の仕事受注可能情報連絡システム。
【請求項３２】
前記サーバ装置は、さらに、
一の登録発注者アカウントを主アカウントとし、他の一又は複数の登録発注者アカウントをその従属アカウントとして、登録発注者アカウントの主従関係を記録する登録発注者アカウント主従関係リスト記録域を有することを特徴とする請求項１ないし３１のいずれか一項に記載の仕事受注可能情報連絡システム。
【請求項３３】
前記サーバ装置は、さらに、
前記登録受注者情報記録域内に設けられた、当該登録受注者を一意に特定できるユニークキーを記録するユニークキー記録領域、および、
前記従属アカウントによりログイン中の利用者端末からの、一又は複数の前記ユニークキーを含む仕事受注可能情報の要求に対し、前記受発注ペア記録域に記録された（当該登録発注者もしくは主アカウントの登録発注者）の相手方の登録受注者であることを条件に、または、前記受発注ペア記録域に記録された（当該登録発注者もしくは主アカウントの登録発注者）の相手方の登録受注者であること、もしくは、（当該従属アカウントもしくは当該主アカウント）についての前記応募者リスト記録域に記録された登録受注者であることを条件に、当該登録受注者の仕事受注可能情報を返信する一括要求受注者選別手段
を有することを特徴とする請求項２１、２２、２６、および３０のいずれか一項を引用する請求項３２に記載の仕事受注可能情報連絡システム。
【請求項３４】
前記サーバ装置は、さらに、
前記受注可能案件記録域内に設けられた、当該受注可能案件の単位日数あたり受注可能な仕事分量を記録する受注可能分量記録域、および、
前記利用者端末又は前記サーバ装置において、利用者端末から入力された仕事分量を前記の単位日数あたり受注可能な仕事分量で割った商から当該仕事を完了させるのに必要な日数または営業日数を算出し、さらに前記空き日程の初日から、最短で納品可能と見込まれる日付またはその一日後の日付である設定可能納期を前記発注者用画面に出力表示させる設定可能納期算出手段を有することを特徴とする請求項２１ないし３３のいずれか一項に記載の仕事受注可能情報連絡システム。
【請求項３５】
前記サーバ装置において、前記案件属性記録域の一部又は全部が、仕事を完了するのに必要な日数または営業日数を指定することにより受注可能な仕事案件の属性を記録する日額案件属性記録域であり、
前記サーバ装置は、さらに、
前記利用者端末又は前記サーバ装置において、利用者端末において入力された前記日額案件属性を有する仕事を完了するのに必要な日数または営業日数と前記空き日程の初日から、最短で納品可能と見込まれる日付またはその一日後の日付である設定可能納期を前記発注者用画面に出力表示させる日額案件用の設定可能納期算出手段を有することを特徴とする請求項２１ないし３４のいずれか一項に記載の仕事受注可能情報連絡システム。
【請求項３６】
前記サーバ装置は、さらに、登録受注者と登録発注者の間でなされた仕事の受発注の履歴を記録する受発注履歴記録域を有することを特徴とする請求項１ないし３５のいずれか一項に記載の仕事受注可能情報連絡システム。
【請求項３７】
前記受発注履歴記録域は、さらに、
前記受発注された仕事の、当該登録受注者にとっての取り組み易さを多段階評価した受注案件評価情報と、該受注案件評価情報の、当該登録受注者による当該登録発注者に対する閲覧許可の可否を記録する受注案件評価情報記録域を有することを特徴とする請求項３６に記載の仕事受注可能情報連絡システム。
【請求項３８】
サーバ装置が、受注者用画面を出力表示している利用者端末から仕事受注可能情報を受信して記録した後、利用者端末からの要求に応じて返信することにより、前記利用者端末が前記仕事受注可能情報を発注者用画面に出力表示する仕事受注可能情報連絡システムであって、
前記サーバ装置は、
利用者端末から送信された受注者の一セットの登録情報を受信することにより作成される一の登録受注者アカウントについて一の記録域として確保される登録受注者情報記録域、
前記受注者が発注者用画面において特定の登録受注者であることを示す受注者表記情報を記録する受注者表記記録域、
利用者端末から送信された受注可能情報閲覧者の一セットの登録情報を受信することにより作成される一の登録発注者アカウントについて一の記録域として確保される登録発注者情報記録域、
前記受注可能情報閲覧者が、受注者用画面において特定の登録発注者であることを示す発注者表記情報を記録する発注者表記記録域、
前記登録受注者の空き日程の初日を特定するために必要な情報を記録する空き日程初日特定情報記録域、
前記登録受注者情報記録域のそれぞれに設けられ、受注可能案件の属性を記録する一又は複数の案件属性記録域をそれぞれの記録域において有する一又は複数の受注可能案件記録域を含むサービスグループ記録域、
利用者端末からの要求に応じて仕事受注可能情報を返信する際に、前記利用者端末又は前記サーバ装置において、その当日の年月日と空き日程初日特定情報記録域に記録された情報から、空き日程の初日を算出する空き日程初日算出手段、
登録受注者と登録発注者の間でなされた仕事の受発注の履歴を記録する受発注履歴記録域、ならびに、
前記受発注履歴記録域内に設けられた、前記受発注された仕事の、当該登録受注者にとっての取り組み易さを多段階評価した受注案件評価情報と、該受注案件評価情報の、当該登録受注者による当該登録発注者に対する閲覧許可の可否を記録する受注案件評価情報記録域を有することを特徴とする仕事受注可能情報連絡システム。
【請求項３９】
前記受発注履歴記録域は、さらに、
前記登録発注者アカウントによりログイン中の利用者端末から発注記録の要求があった際に、前記利用者端末が出力する発注者用画面に表示可能な当該登録受注者のすべての仕事受注可能情報を発注記録時保全情報として記録する発注記録時保全情報記録域を有することを特徴とする請求項３６ないし３８のいずれか一項に記載の仕事受注可能情報連絡システム。
【請求項４０】
前記受発注履歴記録域は、さらに、
前記登録受注者アカウントによりログイン中の利用者端末から受信する、受注した仕事に対する料金を請求する情報又は領収した情報を記録する料金請求・領収情報記録域を有することを特徴とする請求項３５ないし３９のいずれか一項に記載の仕事受注可能情報連絡システム。
【請求項４１】
前記登録発注者情報記録域は、さらに、
利用者端末からサーバ装置に対する一回の要求で同時に仕事受注可能情報を返信する登録受注者のリストを記録する一括要求用受注者リスト記録域を有することを特徴とする請求項１ないし４０のいずれか一項に記載の仕事受注可能情報連絡システム。
【請求項４２】
前記サーバ装置は、さらに、
前記登録受注者情報記録域に設けられた、当該登録受注者のタイムゾーンを記録する受注者タイムゾーン記録域、
前記登録発注者情報記録域に設けられた、当該登録発注者のタイムゾーンを記録する発注者タイムゾーン記録域、および、
前記受注者のタイムゾーンと前記発注者のタイムゾーンが異なる場合において、
前記登録発注者の発注者用画面に前記登録受注者の空き日程の初日を表示するとき、該初日とともに表示する時差を算出する時差算出手段を有することを特徴とする請求項１ないし４１に記載の仕事受注可能情報連絡システム。
【請求項４３】
前記空き日程初日特定情報記録域は、さらに、
基準設定日からの設定日数又は設定営業日数経過後に固定された年月日、または、その当日の年月日から設定日数又は設定営業日数後に保たれるように自動更新される年月日のいずれによって、前記空き日程の初日を特定するかを選択した情報を記録する特定方法選択情報記録域、および、
前記の基準設定日と前記の設定日数又は設定営業日数を記録する基準設定日・設定日数記録域を有することを特徴とする請求項１ないし４２のいずれか一項に記載の仕事受注可能情報連絡システム。
【請求項４４】
前記サーバ手段は、さらに、
端末のブラウザ装置と前記サーバ装置の間でセッションＩＤを用いたログイン管理を行うことにより、少なくとも前記受注者表記記録域と前記サービスグループ記録域とを有する登録受注者記録域内の情報を、当該登録受注者の登録受注者アカウントによりログインした利用者端末および本システムのサービス提供者アカウントでログインした端末からの要求のみによって更新し、少なくとも前記発注者表記記録域を有する登録発注者記録域内の情報を、当該登録発注者の登録発注者アカウントによりログインした利用者端末および本システムのサービス提供者アカウントでログインした端末からの要求のみによって更新する情報セキュリティ手段を有することを特徴とする請求項１ないし４３のいずれか一項に記載の仕事受注可能情報連絡システム。
【請求項４５】
前記サーバ手段は、さらに、
利用者端末において、登録受注者アカウントを用いてログインすることによってのみ表示可能な受注者用画面と、前記登録受注者アカウントと同一の登録情報を有する登録発注者アカウントを用いてログインすることによってのみ表示可能な発注者用画面との間をログイン認証手続き無しのワンステップで遷移可能にするワンステップアカウント切替手段
を有することを特徴とする請求項１ないし４４のいずれか一項に記載の仕事受注可能情報連絡システム。
【請求項４６】
前記案件属性記録域は、翻訳元および翻訳先言語情報を含む受注可能案件の属性を記録する記録域であることを特徴とする請求項１ないし４５のいずれか一項に記載の仕事受注可能情報連絡システム。